(57)【要約】【課題】  ＩＣチップを搭載したクレジットカードの不正利用の検知において、精度を保ちながら効率的な処理を行うことができるクレジットカードの決済承認システムを提供する。【解決手段】  ＩＣクレジットカードに搭載されたＩＣチップに不正利用のパターンをモデル化した不正判定モデルを記憶させ、決済承認に用いることでオフライン承認の信頼性を向上させる。オフライン承認で不正利用の可能性ありと判断されるとホストコンピュータにさらに詳細なモデルによるオンライン承認を要求するが、承認要求と合わせて判定に用いたパラメータの更新情報を送信し、ホストコンピュータで最新の取引傾向等を分析して作成された最新のパラメータが更新されていることが確認された場合には、ホストコンピュータからの承認結果と合わせて最新のパラメータがＩＣ端末に送信され、ＩＣチップの不正判定モデルに設定されたパラメータが最新の状態に更新される。【選択図】        図３
2010097450.tif 000002
【特許請求の範囲】
【請求項１】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムであって、
前記クレジットカードは、
前記クレジットカードの不正利用のパターンをモデル化した第１の不正パラメータが設定された第１の不正判定モデルを記憶する不正判定モデル記憶手段と、
前記端末装置から前記クレジットカードによる決済要求を受け付ける決済要求受付手段と、
前記不正判定モデル記憶手段から第１の不正パラメータが設定された第１の不正判定モデル読み出す不正判定モデル読出手段と、
前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、
前記不正判定モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、
前記不正判定モデル記憶手段に記憶された第１の不正判定モデルに設定された第１の不正パラメータを新たな不正パラメータに更新する不正パラメータ更新手段と、
を備えていて、
前記ホストコンピュータシステムは、
前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性がオンライン承認を必要とする基準に該当すると判定する決済承認判定手段と、
前記決済承認判定手段の判定した承認又は不承認の判定結果を前記端末装置に送信する判定結果送信手段と、
前記第１の不正判定モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記クレジットカードの不正パラメータ更新手段は、前記ＩＣチップに記憶された第１の不正判定モデルに設定された第１の不正パラメータを、前記ホストコンピュータシステムから前記端末装置が受信した第３の不正パラメータに更新すること
を特徴とする決済承認システム。
【請求項２】
前記不正判定モデル適用手段において用いられる第１の不正判定モデルは、決定木によりオンライン承認の要否を判定するモデルであって、前記第１の不正パラメータは、決定木の節点における分岐の基準となる値として設定されていること
を特徴とする請求項１記載の決済承認システム。
【請求項３】
前記不正判定モデル適用手段において用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていること
を特徴とする請求項１記載の決済承認システム。
【請求項４】
前記クレジットカードは、
前記クレジットカードについてオンライン承認を必要とする定量的な閾値として設定されたリスクパラメータを記憶するリスクパラメータ記憶手段と、
前記リスクパラメータ記憶手段に記憶されたリスクパラメータを読み出すリスクパラメータ読出手段と、
前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、
前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、
前記リスクパラメータ記憶手段に記憶されたリスクパラメータを新たなリスクパラメータに更新するリスクパラメータ更新手段と、
を備えていて、
前記ホストコンピュータシステムは、
クレジットカードについてオンライン承認を必要とする定量的な閾値として設定されたリスクパラメータを記憶するリスクパラメータ記憶手段と、
前記端末装置から受信した更新情報が前記リスクパラメータ記憶手段に記憶された最新のリスクパラメータの更新時を特定する更新情報と一致するかを判定する更新情報判定手段と、
前記更新情報判定手段が更新情報が一致しないと判定すると、前記最新のリスクパラメータを前記リスクパラメータ記憶手段から読み出して、前記端末装置に送信するリスクパラメータ送信手段と、
を備えていて、
前記クレジットカードのリスクパラメータ更新手段は、前記リスクパラメータ記憶手段に記憶されたリスクパラメータを、前記ホストコンピュータシステムから前記端末装置が受信した最新のリスクパラメータに更新すること
を特徴とする請求項１乃至３いずれかに記載の決済承認システム。
【請求項５】
クレジットカードに搭載されたＩＣチップの読出及び書込機能を備えた端末装置と、前記端末とネットワークを介して接続されたホストコンピュータシステムからなるクレジットカードの決済承認システムであって、
前記端末装置は、
クレジットカードによる決済要求を受け付ける決済要求受付手段と、
前記ＩＣチップに記憶されたクレジットカードの不正利用のパターンをモデル化した第１の不正パラメータが設定された第１の不正判定モデルを読み出す不正判定モデル読出手段と、
前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、
前記不正判定モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、
前記ＩＣチップに記憶された第１の不正判定モデルに設定された第１の不正パラメータを新たな不正パラメータに更新する不正パラメータ更新手段と、
を備えていて、
前記ホストコンピュータシステムは、
前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定手段と、
前記決済承認判定手段の判定した承認又は不承認の判定結果を前記端末装置に送信する判定結果送信手段と、
前記第１の不正判定モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記端末装置の不正パラメータ更新手段は、前記ＩＣチップに記憶された第１の不正判定モデルに設定された第１の不正パラメータを、前記ホストコンピュータシステムから送信された第３の不正パラメータに更新すること
を特徴とする決済承認システム。
【請求項６】
前記不正判定モデル適用手段において用いられる第１の不正判定モデルは、決定木によりオンライン承認の要否を判定するモデルであって、前記第１の不正パラメータは、決定木の節点における分岐の基準となる値として設定されていること
を特徴とする請求項５記載の決済承認システム。
【請求項７】
前記不正判定モデル適用手段において用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていること
を特徴とする請求項５記載の決済承認システム。
【請求項８】
前記端末装置は、
前記ＩＣチップに記憶されたクレジットカードについてオンライン承認を必要とする定量的な閾値として設定されたリスクパラメータを読み出すリスクパラメータ読出手段と、
前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、
前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、
前記ＩＣチップに記憶されたリスクパラメータを新たなリスクパラメータに更新するリスクパラメータ更新手段と、
を備えていて、
前記ホストコンピュータシステムは、
クレジットカードについてオンライン承認を必要とする定量的な閾値として設定されたリスクパラメータを記憶するリスクパラメータ記憶手段と、
前記端末装置から受信した更新情報が前記リスクパラメータ記憶手段に記憶された最新のリスクパラメータの更新時を特定する更新情報と一致するかを判定する更新情報判定手段と、
前記更新情報判定手段が更新情報が一致しないと判定すると、前記最新のリスクパラメータを前記リスクパラメータ記憶手段から読み出して、前記端末装置に送信するリスクパラメータ送信手段と、
を備えていて、
前記端末装置のリスクパラメータ更新手段は、前記ＩＣチップに記憶されたリスクパラメータを、前記ホストコンピュータシステムから送信された最新のリスクパラメータに更新すること
を特徴とする請求項５乃至７いずれかに記載の決済承認システム。
【請求項９】
ＩＣチップを搭載したクレジットカードと、前記ＩＣチップに記憶された情報の読出及び書込機能を備えた端末装置とネットワークを介して接続されたホストコンピュータシステムによって実行されるクレジットカードの決済承認方法であって、
前記クレジットカードが、前記端末装置から、前記クレジットカードによる決済要求を受け付ける決済要求受付ステップと、
前記クレジットカードが、前記クレジットカードの不正利用のパターンをモデル化した第１の不正パラメータが設定された第１の不正判定モデルを記憶する不正判定モデル記憶手段から第１の不正判定モデルを読み出す不正判定モデル読出ステップと、
前記クレジットカードが、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用ステップと、
前記クレジットカードが、前記不正判定モデル適用ステップでオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信ステップと、
前記ホストコンピュータシステムが、前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定ステップと、
前記ホストコンピュータシステムが、前記決済承認判定ステップで判定した承認又は不承認の判定結果を前記端末装置に送信する判定結果送信ステップと、
前記ホストコンピュータシステムが、前記端末装置から受信した更新情報が、前記第１の不正判定モデルに設定される第３の不正パラメータを記憶する不正パラメータ記憶手段に記憶された第３の不正パラメータの更新時を特定する更新情報と一致するかを判定する更新情報判定ステップと、
前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、
前記クレジッドカードが、前記不正パラメータ記憶手段に記憶された第１の不正判定モデルに設定された第１の不正パラメータを、前記ホストコンピュータシステムから前記端末装置が受信した第３の不正パラメータに更新する不正パラメータ更新ステップと、
を有することを特徴とする決済承認方法。
【請求項１０】
前記不正判定モデル適用ステップにおいて用いられる第１の不正判定モデルは、決定木によりオンライン承認の要否を判定するモデルであって、前記第１の不正パラメータは、決定木の節点における分岐の基準となる値として設定されていること
を特徴とする請求項９記載の決済承認方法。
【請求項１１】
前記不正判定モデル適用ステップにおいて用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていること
を特徴とする請求項９記載の決済承認方法。
【請求項１２】
前記クレジットカードが、前記クレジットカードについてオンライン承認を必要とする定量的な閾値として設定されたリスクパラメータを記憶するリスクパラメータ記憶手段からリスクパラメータを読み出すリスクパラメータ読出ステップと、
前記クレジットカードが、前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用ステップと、
前記クレジットカードが、前記リスクパラメータ適用ステップでオンライン承認を必要とする基準に該当すると判定すると、前記端末装置に、前記決済要求から生成した決済情報と、前記ＩＣチップから読み出した前記リスクパラメータの更新時を特定する更新情報を前記ホストコンピュータシステムに送信させる第２の決済情報送信ステップと、
前記ホストコンピュータシステムが、前記端末装置から受信した更新情報がクレジットカードについてオンライン承認を必要とする定量的な閾値として設定されたリスクパラメータを記憶するリスクパラメータ記憶手段に記憶された最新のリスクパラメータの更新時を特定する更新情報と一致するかを判定する更新情報判定ステップと、
前記ホストコンピュータシステムが、前記更新情報判定ステップで更新情報が一致しないと判定すると、前記最新のリスクパラメータを前記リスクパラメータ記憶手段から読み出して、前記端末装置に送信するリスクパラメータ送信ステップと、
前記クレジットカードが、前記リスクパラメータ記憶手段に記憶されたリスクパラメータを、前記ホストコンピュータシステムから送信された最新のリスクパラメータに更新するリスクパラメータ更新ステップと、
を有することを特徴とする請求項９乃至１１いずれかに記載の決済承認方法。
【請求項１３】
クレジットカードに搭載されたＩＣチップの読出及び書込機能を備えた端末装置と、前記端末とネットワークを介して接続されたホストコンピュータシステムによって実行されるクレジットカードの決済承認方法であって、
前記端末装置が、クレジットカードによる決済要求を受け付ける決済要求受付ステップと、
前記端末装置が、前記ＩＣチップに記憶されたクレジットカードの不正利用のパターンをモデル化した第１の不正パラメータが設定された第１の不正判定モデルを読み出す不正判定モデル読出ステップと、
前記端末装置が、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用ステップと、
前記端末装置が、前記不正判定モデル適用ステップでオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信ステップと、
前記ホストコンピュータシステムが、前記端末装置から受信した決済情報に含まれる値を、クレジットカードの不正利用のパターンをモデル化した第２の不正パラメータが設定された第２の不正判定モデルに当てはめて、前記前記決済情報に含まれる値が所定の条件に合致する場合には、前記決済要求の不正利用の可能性が決済を承認する基準に該当すると判定する決済承認判定ステップと、
前記ホストコンピュータシステムが、前記決済承認判定ステップで判定した承認又は不承認の判定結果を前記端末装置に送信する判定結果送信ステップと、
前記ホストコンピュータシステムが、前記端末装置から受信した更新情報が、前記第１の不正判定モデルに設定される第３の不正パラメータを記憶する不正パラメータ記憶手段に記憶された第３の不正パラメータの更新時を特定する更新情報と一致するかを判定する更新情報判定ステップと、
前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、
前記端末装置が、前記ＩＣチップに記憶された第１の不正判定モデルに設定された第１の不正パラメータを、前記ホストコンピュータシステムから送信された第３の不正パラメータに更新する不正パラメータ更新ステップと、
を有することを特徴とする決済承認方法。
【請求項１４】
前記不正判定モデル適用ステップにおいて用いられる第１の不正判定モデルは、決定木によりオンライン承認の要否を判定するモデルであって、前記第１の不正パラメータは、決定木の節点における分岐の基準となる値として設定されていること
を特徴とする請求項１３記載の決済承認方法。
【請求項１５】
前記不正判定モデル適用ステップにおいて用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていること
を特徴とする請求項１３記載の決済承認方法。
【請求項１６】
前記端末装置が、前記ＩＣチップに記憶されたクレジットカードについてオンライン承認を必要とする定量的な閾値として設定されたリスクパラメータを読み出すリスクパラメータ読出ステップと、
前記端末装置が、前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用ステップと、
前記端末装置が、前記リスクパラメータ適用ステップでオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信ステップと、
前記ホストコンピュータシステムが、前記端末装置から受信した更新情報がクレジットカードについてオンライン承認を必要とする定量的な閾値として設定されたリスクパラメータを記憶するリスクパラメータ記憶手段に記憶された最新のリスクパラメータの更新時を特定する更新情報と一致するかを判定する更新情報判定ステップと、
前記ホストコンピュータシステムが、前記更新情報判定ステップで更新情報が一致しないと判定すると、前記最新のリスクパラメータを前記リスクパラメータ記憶手段から読み出して、前記端末装置に送信するリスクパラメータ送信ステップと、
前記端末装置が、前記ＩＣチップに記憶されたリスクパラメータを、前記ホストコンピュータシステムから送信された最新のリスクパラメータに更新するリスクパラメータ更新ステップと、
を有することを特徴とする請求項１３乃至１５いずれかに記載の決済承認方法。
【発明の詳細な説明】
【技術分野】
【０００１】
本発明は、ＩＣチップを搭載したクレジットカードの不正利用の検知を効率的に行うためのクレジットカードの決済承認システム及び決済承認方法に関するものである。
【背景技術】
【０００２】
クレジットカードの利用時においては、例えばカードを拾得した他人が本人になりすまして不正な取引を行うことを防止するために、カードの利用を受け付けた店舗等からクレジットカード会社のホストコンピュータに対して、与信残高の確認と併せて、不正な利用である可能性についての照会が行われている。不正利用の照会においては、不正な利用である可能性をスコアとして算出するスコアリングモデルが用いられることが一般的である（例えば、特許文献１参照）。
【０００３】
一方、クレジットカードを利用するたびにスコアリングモデルを適用するためにホストコンピュータの交信によるオンライン承認を行うとすると、クレジットカード会社のシステム負担が増大するとともに、顧客に対しては交信にかかる待ち時間によってサービスの低下が生じてしまうおそれがある。このような課題に対応するために、近年はＩＣチップを搭載したＩＣクレジットカードが普及してきたため、ＩＣチップに何らかの与信判断のための条件を設定することによって、一定の条件下であればオフライン承認を可能にする発明が開示されている（例えば、特許文献２参照）。
【０００４】
また、オンラインでの承認を前提にしながら、ＩＣチップに書き込まれた条件に合致しない場合には利用を拒絶することによって、オンラインで交信を行う件数を制限する発明も開示されている（例えば、特許文献３参照）。このような条件としては、一定金額以上の決済にはオンライン承認を必要とするフロアリミットが設けられていることが一般的である。
【０００５】
【特許文献１】特開２００７−２０７０１１号公報
【特許文献２】特開２００６−３１３４４０号公報
【特許文献３】特開２００５−０２５３０６号公報
【発明の開示】
【発明が解決しようとする課題】
【０００６】
前述のとおり、クレジットカード会社のシステム負担や顧客の待ち時間を考慮すると、オンライン承認の件数はできるだけ削減できることが望ましいが、一方では、不正利用をできるだけ防止するために不正利用の検知に対する信頼性を維持するための仕組みも求められることになる。
【０００７】
特許文献２に開示された発明は、一定の与信枠の範囲内にある少額決済についてはオフラインのみで承認を行うものであるが、与信枠の範囲内であれば不正利用が見逃されてしまう可能性があることに加えて、金額が大きい取引には適用することが難しい。特許文献３に開示された発明は、クレジットカードを利用する地域や端末の設置場所から不正利用の可能性を判断するものであり、一般に用いられているスコアリングモデルに比べると判断に用いられる要素が限定されているため、オフラインで不正利用を検知できる可能性は制限されこととなってしまう。
【０００８】
すなわち、オフラインにおいてもスコアリングモデルに準じるような不正利用の検知に対する信頼性をできるだけ維持しながら、オンライン承認の件数を削減できるような効率的な方式を、ＩＣクレジットカードの機能を生かすことによって実現することが求められるところである。
【０００９】
本発明は、このような課題に対応するためになされたものであり、ＩＣチップを搭載したクレジットカードの不正利用の検知において、その信頼性を保ちながら効率的な処理を行うことができるクレジットカードの決済承認システム及び決済承認方法を提供すること目的とするものである。
【課題を解決するための手段】
【００１０】
本願にかかる課題を解決する第１の発明は、ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムであって、前記クレジットカードは、前記クレジットカードの不正利用のパターンをモデル化した第１の不正パラメータが設定された第１の不正判定モデルを記憶する不正判定モデル記憶手段と、前記端末装置から前記クレジットカードによる決済要求を受け付ける決済要求受付手段と、前記不正判定モデル記憶手段から第１の不正パラメータが設定された第１の不正判定モデル読み出す不正判定モデル読出手段と、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、前記不正判定モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、前記不正判定モデル記憶手段に記憶された第１の不正判定モデルに設定された第１の不正パラメータを新たな不正パラメータに更新する不正パラメータ更新手段と、を備えていて、前記ホストコンピュータシステムは、前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性がオンライン承認を必要とする基準に該当すると判定する決済承認判定手段と、前記決済承認判定手段の判定した承認又は不承認の判定結果を前記端末装置に送信する判定結果送信手段と、前記第１の不正判定モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えていて、前記クレジットカードの不正パラメータ更新手段は、前記ＩＣチップに記憶された第１の不正判定モデルに設定された第１の不正パラメータを、前記ホストコンピュータシステムから前記端末装置が受信した第３の不正パラメータに更新することを特徴とする決済承認システムである。
【００１１】
第１の発明においては、クレジットカードに搭載されたＩＣチップに不正利用のパターンをモデル化した不正パラメータの設定された不正判定モデルを記憶させ、端末装置と接続してＩＣチップ内で不正判定の演算処理を行うことによって、オフラインにおける不正利用の検知に対する信頼性を向上させる一方で、オンライン承認を要求する取引件数を削減することを可能にしている。ホスト側のコンピュータシステムでの判定に用いる第２の不正判定モデルに対して、ＩＣチップに記憶させる第１の不正判定モデルを簡素化することによって、端末側の承認処理を簡素化し、さらに精緻な分析が必要とされた場合にはホスト側のコンピュータシステムでより精度の高い承認処理を行うことが可能になる。
【００１２】
また、第１の発明のように構成すると、オフライン承認で用いられる第１の不正判定モデルに設定された不正パラメータを、オンライン承認の際に最新の取引傾向等を反映した不正パラメータに更新することができるので、オフラインにおける不正利用の検知に対する信頼性をより高めることが可能になる。
【００１３】
第１の発明において、前記不正判定モデル適用手段において用いられる第１の不正判定モデルは、決定木によりオンライン承認の要否を判定するモデルであって、前記第１の不正パラメータは、決定木の節点における分岐の基準となる値として設定されていることを特徴とすることもできる。
【００１４】
第１の発明において、前記不正判定モデル適用手段において用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていることを特徴とすることもできる。
【００１５】
さらに、第１の発明は、前記クレジットカードは、前記クレジットカードについてオンライン承認を必要とする定量的な閾値として設定されたリスクパラメータを記憶するリスクパラメータ記憶手段と、前記リスクパラメータ記憶手段に記憶されたリスクパラメータを読み出すリスクパラメータ読出手段と、前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、前記リスクパラメータ記憶手段に記憶されたリスクパラメータを新たなリスクパラメータに更新するリスクパラメータ更新手段と、を備えていて、前記ホストコンピュータシステムは、クレジットカードについてオンライン承認を必要とする定量的な閾値として設定されたリスクパラメータを記憶するリスクパラメータ記憶手段と、前記端末装置から受信した更新情報が前記リスクパラメータ記憶手段に記憶された最新のリスクパラメータの更新時を特定する更新情報と一致するかを判定する更新情報判定手段と、前記更新情報判定手段が更新情報が一致しないと判定すると、前記最新のリスクパラメータを前記リスクパラメータ記憶手段から読み出して、前記端末装置に送信するリスクパラメータ送信手段と、を備えていて、前記クレジットカードのリスクパラメータ更新手段は、前記リスクパラメータ記憶手段に記憶されたリスクパラメータを、前記ホストコンピュータシステムから前記端末装置が受信した最新のリスクパラメータに更新することを特徴としてもよい。
【００１６】
このように構成すると、利用金額（何万円以上であればオンライン承認を要する等）、利用回数（何回に１度はオンライン承認を要する等）など、簡易な基準による機械的な判断をオフラインにおいて併用することができるので、オフライン処理の負荷を増大させることなく、多面的な判断によってオンライン承認を要する取引の選別を行うことが可能になる。また、オフライン承認で用いられるリスクパラメータを、オンライン承認の際に新たな基準に基づくリスクパラメータに更新することができるので、リスクパラメータによる処理基準を統一的に扱うことが可能になる。
【００１７】
第１の発明では、オフライン承認のための処理がクレジットカードに搭載されたＩＣチップにおいて実行されるよう構成されるのに対して、本発明にかかるクレジットカードの決済承認システムでは、第２の発明として、かかる処理を端末装置で実行するよう構成することもできる。
【００１８】
本願にかかる課題を解決する第２の発明は、クレジットカードに搭載されたＩＣチップの読出及び書込機能を備えた端末装置と、前記端末とネットワークを介して接続されたホストコンピュータシステムからなるクレジットカードの決済承認システムであって、前記端末装置は、クレジットカードによる決済要求を受け付ける決済要求受付手段と、前記ＩＣチップに記憶されたクレジットカードの不正利用のパターンをモデル化した第１の不正パラメータが設定された第１の不正判定モデルを読み出す不正判定モデル読出手段と、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、前記不正判定モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、前記ＩＣチップに記憶された第１の不正判定モデルに設定された第１の不正パラメータを新たな不正パラメータに更新する不正パラメータ更新手段と、を備えていて、前記ホストコンピュータシステムは、前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定手段と、前記決済承認判定手段の判定した承認又は不承認の判定結果を前記端末装置に送信する判定結果送信手段と、前記第１の不正判定モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えていて、前記端末装置の不正パラメータ更新手段は、前記ＩＣチップに記憶された第１の不正判定モデルに設定された第１の不正パラメータを、前記ホストコンピュータシステムから送信された第３の不正パラメータに更新することを特徴とする決済承認システムである。
【００１９】
また、第２の発明は、前記不正判定モデル適用手段において用いられる第１の不正判定モデルは、決定木によりオンライン承認の要否を判定するモデルであって、前記第１の不正パラメータは、決定木の節点における分岐の基準となる値として設定されていることを特徴とすることもできる。
【００２０】
また、第２の発明は、前記不正判定モデル適用手段において用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていることを特徴とすることもできる。
【００２１】
さらに、第２の発明は、前記端末装置は、前記ＩＣチップに記憶されたクレジットカードについてオンライン承認を必要とする定量的な閾値として設定されたリスクパラメータを読み出すリスクパラメータ読出手段と、前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、前記ＩＣチップに記憶されたリスクパラメータを新たなリスクパラメータに更新するリスクパラメータ更新手段と、を備えていて、前記ホストコンピュータシステムは、クレジットカードについてオンライン承認を必要とする定量的な閾値として設定されたリスクパラメータを記憶するリスクパラメータ記憶手段と、前記端末装置から受信した更新情報が前記リスクパラメータ記憶手段に記憶された最新のリスクパラメータの更新時を特定する更新情報と一致するかを判定する更新情報判定手段と、前記更新情報判定手段が更新情報が一致しないと判定すると、前記最新のリスクパラメータを前記リスクパラメータ記憶手段から読み出して、前記端末装置に送信するリスクパラメータ送信手段と、を備えていて、前記端末装置のリスクパラメータ更新手段は、前記ＩＣチップに記憶されたリスクパラメータを、前記ホストコンピュータシステムから送信された最新のリスクパラメータに更新することを特徴としてもよい。
【００２２】
第１の発明及び第２の発明は、それぞれの発明にかかるクレジットカードの決済承認システムの各々の構成によって実行されるクレジットカードの決済承認方法として特定することもできる。
【００２３】
第１の発明にかかるクレジットカードの決済承認方法は、ＩＣチップを搭載したクレジットカードと、前記ＩＣチップに記憶された情報の読出及び書込機能を備えた端末装置とネットワークを介して接続されたホストコンピュータシステムによって実行されるクレジットカードの決済承認方法であって、前記クレジットカードが、前記端末装置から、前記クレジットカードによる決済要求を受け付ける決済要求受付ステップと、前記クレジットカードが、前記クレジットカードの不正利用のパターンをモデル化した第１の不正パラメータが設定された第１の不正判定モデルを記憶する不正判定モデル記憶手段から第１の不正判定モデルを読み出す不正判定モデル読出ステップと、前記クレジットカードが、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用ステップと、前記クレジットカードが、前記不正判定モデル適用ステップでオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信ステップと、前記ホストコンピュータシステムが、前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定ステップと、前記ホストコンピュータシステムが、前記決済承認判定ステップで判定した承認又は不承認の判定結果を前記端末装置に送信する判定結果送信ステップと、前記ホストコンピュータシステムが、前記端末装置から受信した更新情報が、前記第１の不正判定モデルに設定される第３の不正パラメータを記憶する不正パラメータ記憶手段に記憶された第３の不正パラメータの更新時を特定する更新情報と一致するかを判定する更新情報判定ステップと、前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、前記クレジッドカードが、前記不正パラメータ記憶手段に記憶された第１の不正判定モデルに設定された第１の不正パラメータを、前記ホストコンピュータシステムから前記端末装置が受信した第３の不正パラメータに更新する不正パラメータ更新ステップと、を有することを特徴とする決済承認方法である。
【００２４】
また、第１の発明にかかるクレジットカードの決済承認方法は、前記不正判定モデル適用ステップにおいて用いられる第１の不正判定モデルは、決定木によりオンライン承認の要否を判定するモデルであって、前記第１の不正パラメータは、決定木の節点における分岐の基準となる値として設定されていることを特徴とすることもできる。
【００２５】
また、第１の発明にかかるクレジットカードの決済承認方法は、前記不正判定モデル適用ステップにおいて用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていることを特徴とすることもできる。
【００２６】
さらに、第１の発明にかかるクレジットカードの決済承認方法は、前記クレジットカードが、前記クレジットカードについてオンライン承認を必要とする定量的な閾値として設定されたリスクパラメータを記憶するリスクパラメータ記憶手段からリスクパラメータを読み出すリスクパラメータ読出ステップと、前記クレジットカードが、前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用ステップと、前記クレジットカードが、前記リスクパラメータ適用ステップでオンライン承認を必要とする基準に該当すると判定すると、前記端末装置に、前記決済要求から生成した決済情報と、前記ＩＣチップから読み出した前記リスクパラメータの更新時を特定する更新情報を前記ホストコンピュータシステムに送信させる第２の決済情報送信ステップと、前記ホストコンピュータシステムが、前記端末装置から受信した更新情報がクレジットカードについてオンライン承認を必要とする定量的な閾値として設定されたリスクパラメータを記憶するリスクパラメータ記憶手段に記憶された最新のリスクパラメータの更新時を特定する更新情報と一致するかを判定する更新情報判定ステップと、前記ホストコンピュータシステムが、前記更新情報判定ステップで更新情報が一致しないと判定すると、前記最新のリスクパラメータを前記リスクパラメータ記憶手段から読み出して、前記端末装置に送信するリスクパラメータ送信ステップと、前記クレジットカードが、前記リスクパラメータ記憶手段に記憶されたリスクパラメータを、前記ホストコンピュータシステムから送信された最新のリスクパラメータに更新するリスクパラメータ更新ステップと、を有することを特徴としてもよい。
【００２７】
第２の発明にかかるクレジットカードの決済承認方法は、クレジットカードに搭載されたＩＣチップの読出及び書込機能を備えた端末装置と、前記端末とネットワークを介して接続されたホストコンピュータシステムによって実行されるクレジットカードの決済承認方法であって、前記端末装置が、クレジットカードによる決済要求を受け付ける決済要求受付ステップと、前記端末装置が、前記ＩＣチップに記憶されたクレジットカードの不正利用のパターンをモデル化した第１の不正パラメータが設定された第１の不正判定モデルを読み出す不正判定モデル読出ステップと、前記端末装置が、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用ステップと、前記端末装置が、前記不正判定モデル適用ステップでオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信ステップと、前記ホストコンピュータシステムが、前記端末装置から受信した決済情報に含まれる値を、クレジットカードの不正利用のパターンをモデル化した第２の不正パラメータが設定された第２の不正判定モデルに当てはめて、前記前記決済情報に含まれる値が所定の条件に合致する場合には、前記決済要求の不正利用の可能性が決済を承認する基準に該当すると判定する決済承認判定ステップと、前記ホストコンピュータシステムが、前記決済承認判定ステップで判定した承認又は不承認の判定結果を前記端末装置に送信する判定結果送信ステップと、前記ホストコンピュータシステムが、前記端末装置から受信した更新情報が、前記第１の不正判定モデルに設定される第３の不正パラメータを記憶する不正パラメータ記憶手段に記憶された第３の不正パラメータの更新時を特定する更新情報と一致するかを判定する更新情報判定ステップと、前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、前記端末装置が、前記ＩＣチップに記憶された第１の不正判定モデルに設定された第１の不正パラメータを、前記ホストコンピュータシステムから送信された第３の不正パラメータに更新する不正パラメータ更新ステップと、を有することを特徴とする決済承認方法である。
【００２８】
また、第２の発明にかかるクレジットカードの決済承認方法は、前記不正判定モデル適用ステップにおいて用いられる第１の不正判定モデルは、決定木によりオンライン承認の要否を判定するモデルであって、前記第１の不正パラメータは、決定木の節点における分岐の基準となる値として設定されていることを特徴とすることもできる。
【００２９】
また、第２の発明にかかるクレジットカードの決済承認方法は、前記不正判定モデル適用ステップにおいて用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていることを特徴とすることもできる。
【００３０】
さらに、第２の発明にかかるクレジットカードの決済承認方法は、前記端末装置が、前記ＩＣチップに記憶されたクレジットカードについてオンライン承認を必要とする定量的な閾値として設定されたリスクパラメータを読み出すリスクパラメータ読出ステップと、前記端末装置が、前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用ステップと、前記端末装置が、前記リスクパラメータ適用ステップでオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信ステップと、前記ホストコンピュータシステムが、前記端末装置から受信した更新情報がクレジットカードについてオンライン承認を必要とする定量的な閾値として設定されたリスクパラメータを記憶するリスクパラメータ記憶手段に記憶された最新のリスクパラメータの更新時を特定する更新情報と一致するかを判定する更新情報判定ステップと、前記ホストコンピュータシステムが、前記更新情報判定ステップで更新情報が一致しないと判定すると、前記最新のリスクパラメータを前記リスクパラメータ記憶手段から読み出して、前記端末装置に送信するリスクパラメータ送信ステップと、前記端末装置が、前記ＩＣチップに記憶されたリスクパラメータを、前記ホストコンピュータシステムから送信された最新のリスクパラメータに更新するリスクパラメータ更新ステップと、を有することを特徴としてもよい。
【発明の効果】
【００３１】
本発明によると、ＩＣクレジットカードの機能を生かし、ＩＣチップに記憶された不正パラメータが設定された不正判定モデルによってオフライン承認の信頼性を向上させるとともに、オンライン承認を必要とする取引件数を削減することが可能になるので、クレジットカード会社等のホスト側のコンピュータシステムにおけるシステム処理の負担を軽減するとともに、承認までの待ち時間を短縮することによって顧客サービスの向上に貢献することができる。
【００３２】
また、オフライン承認で用いられる第１の不正判定モデルに設定された不正パラメータを、オンライン承認の際に最新の取引傾向等を反映した不正パラメータに更新することができるので、オフラインにおける不正利用の検知に対する信頼性をより高めることが可能になる。
【発明を実施するための最良の形態】
【００３３】
本発明を実施するための最良の形態について、図面を用いて、以下に詳細に説明する。尚、以下の説明は本発明の実施形態の一例であって、本発明はかかる実施形態に限定されるものではなく、例えば、以下に例示するパラメータや履歴情報の一部を用いてオフライン承認を行ったり、一部のパラメータについてはカード会員に共通のパラメータを用いるものであったり、オフライン承認にかかる演算処理をクレジットカードの加盟店等に設置された端末装置で行うこととしてもよい。
【００３４】
図１、図２は、従来のクレジットカードの決済承認システムの構成を示す、それぞれ第１、第２のブロック図である。図３、図４は、本発明にかかるクレジットカードの決済承認システムの、それぞれ第１、第２の実施形態における構成を示すブロック図である。図５、図６は、本発明にかかるクレジットカードの決済承認システムで用いられる履歴情報の、それぞれ第１、第２の例を示す図である。図７は、本発明にかかるクレジットカードの決済承認システムで用いられるオーソリデータの一例を示す図である。図８は、本発明にかかるクレジットカードの決済承認方法の第１の実施形態におけるＩＣカード内の承認処理のフローを示すフローチャートである。図９は、本発明にかかるクレジットカードの決済承認方法の第１の実施形態における端末側の送信処理のフローを示すフローチャートである。図１０は、本発明にかかるクレジットカードの決済承認方法のホスト側のコンピュータシステムの処理フローを示すフローチャートである。図１１は、本発明にかかるクレジットカードの決済承認方法の端末側のパラメータ等更新処理のフローを示すフローチャートである。図１２は、本発明にかかるクレジットカードの決済承認方法の第２の実施形態における端末側の承認処理のフローを示すフローチャートである。図１３、図１４は、本発明にかかるクレジットカードの決済承認システムによって、信頼性を維持しながら承認処理を効率化できることを示す、それぞれ第１、第２の図である。図１５は、本発明にかかるクレジットカードの決済承認システムで用いられる決定木による不正判定モデルの一例を示す図である。図１６、図１７は、本発明にかかるクレジットカードの決済承認システムで用いられるニューラルネットワークによる不正判定モデルの一例を示す、それぞれ第１、第２の図である。
【００３５】
図１、図２は、現在のＩＣクレジットカードを用いた決済承認システムの一般的な構成を示している。ＩＣクレジットカード１０を用いて支払の決済を行う場合には、クレジットカードの加盟店等に設置されたＩＣ端末２０でＩＣクレジットカード１０に記憶された情報を読み取り、ＩＣ端末２０とＩＣクレジットカード１０を用いたオフライン承認、又は、クレジットカード会社等のホストコンピュータ３０でのオンライン承認によって、ＩＣクレジットカード１０による決済の可否が判断される。
【００３６】
図１において、ＩＣクレジットカード１０に搭載されたＩＣチップには、カード情報記憶部１１とリスクパラメータ記憶部１２に対応する記憶領域が割り当てられており、演算処理を行うＣＰＵも設けられている。また、認証処理部１５、承認処理部１６が設けられているが、これらはいずれも機能的に特定されるものであって、各々の機能を実現するためには、ＩＣクレジットカード１０のＩＣチップに記憶されたアプリケーションプログラムに基づいて、ＩＣクレジットカード１０のＩＣチップに備えられたＣＰＵによって演算処理が実行される。
【００３７】
尚、図２に示したように、ＩＣクレジットカード１０の認証処理部１５、承認処理部１６に対応する機能は、ＩＣ端末２０に設けられていてもよい。この場合、ＩＣ端末２０はＩＣクレジットカード１０のＩＣチップから情報を読み取り、所定の演算処理を行うことが可能なコンピュータであって、決済要求受付部２１、認証処理部２２、承認処理部２３が設けられている。決済要求受付部２１、認証処理部２２、承認処理部２３はいずれも機能的に特定されるものであって、各々の機能を実現するためには、ＩＣ端末２０に備えられたメモリ領域に各々の機能に対応するアプリケーションプログラムが読み出されて、ＩＣ端末２０のＣＰＵによって演算処理が実行される。
【００３８】
カード情報記憶部１１には、ＩＣクレジットカード１０を識別できる会員番号や、ＩＣクレジットカード１０の利用者が登録した暗証番号、偽造カードを判別するためのキー等が記憶されている。認証処理部１５では、カード情報記憶部１１からこれらの情報を読み出して、前記のキーを用いて偽造カードを判別したり、前記の暗証番号とＩＣ端末２０に入力された暗証番号が一致するかから本人認証を行ったりすることによって、ＩＣクレジットカード１０の認証処理が行われる。
【００３９】
尚、かかる認証処理は、ＩＣ端末２０にカード情報記憶部１１から認証処理に必要な情報を読み出して、ＩＣ端末２０の認証処理部２２において行うこととしてもよい。認証処理でエラーとなった場合には、ＩＣクレジットカード１０による決済は受け付けられない。
【００４０】
リスクパラメータ記憶部１２には、一定金額以上の決済にはオンライン承認を必要とすることを定めたフロアリミットやオンライン承認を必要とする頻度などの定量的な基準を定めたり、乱数を発生させてランダムにオンライン承認を行わせたりするなど、オンライン承認を必要とするルールを設定したリスクパラメータが記憶されている。ＩＣ端末２０の決済要求受付部２１で利用金額等が指定された決済要求を受け付けると、これらの情報をＩＣクレジットカード１０の承認処理部１６に引き渡して、ＩＣクレジットカード１０の承認処理部１６では、リスクパラメータ記憶部１２からリスクパラメータを読み出し、決済要求に指定された利用金額等をリスクパラメータに当てはめて、オンライン承認を必要とするルールに該当するかを判定する。
【００４１】
かかる承認処理は、ＩＣ端末２０にリスクパラメータ記憶部１２からリスクパラメータを読み出して、ＩＣ端末２０の承認処理部２３において行うこととしてもよい。また、先に説明した認証処理についてはＩＣ端末２０で行った後に、承認処理をＩＣクレジットカード１０で行うように構成することもできる。
【００４２】
オンライン承認が必要と判定されると、決済の承認に必要な会員番号、加盟店コード、利用金額等を含んだオーソリデータが、ホストコンピュータ３０に送信される。オンライン承認が必要と判定されなかった場合には、オフラインにより決済が承認されて、ＩＣクレジットカード１０による決済が受け付けられる。
【００４３】
ホストコンピュータ３０には、承認処理部３１、オーソリデータ記憶部３２、不正判定モデル記憶部３３が備えられている。承認処理部３１は機能的に特定されるものであって、ホストコンピュータ３０に備えられたメモリ領域に承認処理のためのアプリケーションプログラムが読み出され、ＣＰＵによって演算処理が実行されることによって承認処理が行われる。会員毎の過去の取引にかかるオーソリデータが記憶されたオーソリデータ記憶部３２、クレジットカードの不正利用のパターンをモデル化した不正パラメータが設定された不正判定モデルを記憶する不正判定モデル記憶部３３には、ホストコンピュータ３０のＨＤＤの所定の記憶領域が割り当てられるか、或いは、ホストコンピュータ３０に接続されたデータベースサーバ等に設けられるものであってもよい。
【００４４】
尚、ホストコンピュータ３０は一台のコンピュータによって構成されるものに限られず、複数のコンピュータによって構成されるものであってもよく、その一部の機能がカード会社のコンピュータとネットワークを通じて接続された外部のコンピュータによって構成されるものであってもよい。
【００４５】
オーソリデータを受信したホストコンピュータ３０では、承認処理部３１を起動して、受信したオーソリデータを不正判定モデル記憶部３３に記憶された不正判定モデルに当てはめて、不正利用の可能性が決済を承認する基準に該当するかを判定する。不正利用の判定を不正可能性のスコアリングによって実行する際には、オーソリデータ記憶部３２に記憶された会員の過去の取引履歴等を用いることとしてもよい。承認の可否はＩＣ端末２０に送信され、ＩＣクレジットカード１０による決済の受付の可否が示されることになる。
【００４６】
このように、現在の一般的な方法によると、オフライン承認では不正利用のパターンをモデル化した不正パラメータが設定された不正判定モデルによる判定が行われておらず、定量的な基準や乱数に基づいたオンライン承認を行うか否かの判断のみが行われている。通信回線やホスト側のコンピュータシステムにかかる負担を考慮すると、できるだけオフライン承認の比率を高めることが望ましいが、このような方法によると、図１３に示したように、オフライン承認の比率を増加させるとそれに比例してオフライン取引での不正取引の件数が増加して、信頼性が低下してしまうという問題が生じる。また、図１４についても同様に、オフライン承認の比率を高めて通信回線やホスト側のコンピュータシステムにかかる負担を軽減するために、リスクパラメータによる絞込みを緩めるほど、オフライン承認で発生する不正取引の件数は増加することとなってしまう。
【００４７】
このような問題に対して、オフライン承認での信頼性を高めるためには、オフライン承認においても統計分析による不正パラメータが設定された不正判定モデルを用いた判定を行いことが望ましい。オフライン承認においても統計分析を導入することによって、図１３に示したように、オフライン取引の比率を高めたとしても、それに伴う信頼性の低下を抑えることが可能になるとともに、図１４に示したように、リスクパラメータによる絞込みを緩めたとしても、オフライン承認で発生する不正取引の件数の増加も緩やかなものに止めることができる。
【００４８】
以上のような考え方に基づいて、オフライン承認においても統計分析による不正パラメータを用いた判定を行えるよう構成したものが、図３、図４に例示した、本発明にかかるクレジットカードの決済承認システムの構成である。図３の第１の実施形態では、承認処理等をＩＣクレジットカード１０のＩＣチップで行い、図４の第２の実施形態では、承認処理等をＩＣ端末２０で行うよう構成されている。
【００４９】
図３、図４の構成において、ＩＣクレジットカード１０を用いて支払の決済を行う場合には、クレジットカードの加盟店等に設置されたＩＣ端末２０でＩＣクレジットカード１０に記憶された情報を読み取り、ＩＣ端末２０とＩＣクレジットカード１０を用いたオフライン承認、又は、クレジットカード会社等のホストコンピュータ３０でのオンライン承認によって、ＩＣクレジットカード１０による決済の可否が判断される。
【００５０】
図３において、ＩＣクレジットカード１０に搭載されたＩＣチップには、カード情報記憶部１１、リスクパラメータ記憶部１２、不正パラメータ記憶部１３、履歴情報記憶部１４に対応する記憶領域が割り当てられており、演算処理を行うＣＰＵも設けられている。また、認証処理部１５、承認処理部１６、更新処理部１７が設けられているが、これらはいずれも機能的に特定されるものであって、各々の機能を実現するためには、ＩＣクレジットカード１０のＩＣチップに記憶されたアプリケーションプログラムに基づいて、ＩＣクレジットカード１０のＩＣチップに備えられたＣＰＵによって演算処理が実行される。
【００５１】
尚、認証処理部１５、承認処理部１６、更新処理部１７については、ＩＣチップ内のみで必要な演算処理を行うのではなく、ＩＣ端末２０において対応する認証処理部２２、承認処理部２３、更新処理部２４と協働するものとしてもよい。例えば、正規のカードかどうかを認証するためにカード会社毎に設定された情報を認証処理部２２から認証処理部１５に引き渡す、暗証番号の照合のように汎用的な認証処理については認証処理部２２で実行する、といった方法が考えられる。
【００５２】
さらに、図４に示したように、ＩＣクレジットカード１０の認証処理部１５、承認処理部１６、更新処理部１７に対応する機能を、ＩＣ端末２０に設けることとしてもよい。この場合、ＩＣ端末２０はＩＣクレジットカード１０のＩＣチップから情報を読み取り、所定の演算処理を行うことが可能なコンピュータであって、決済要求受付部２１、認証処理部２２、承認処理部２３、更新処理部２４が設けられている。決済要求受付部２１、認証処理部２２、承認処理部２３、更新処理部２４はいずれも機能的に特定されるものであって、各々の機能を実現するためには、ＩＣ端末２０に備えられたメモリ領域に各々の機能に対応するアプリケーションプログラムが読み出されて、ＩＣ端末２０のＣＰＵによって演算処理が実行される。
【００５３】
カード情報記憶部１１には、ＩＣクレジットカード１０を識別できる会員番号や、ＩＣクレジットカード１０の利用者が登録した暗証番号、偽造カードを判別するためのキー等が記憶されている。認証処理部１５では、カード情報記憶部１１からこれらの情報を読み出して、前記のキーを用いて偽造カードを判別したり、前記の暗証番号とＩＣ端末２０に入力された暗証番号が一致するかから本人認証を行ったりすることによって、ＩＣクレジットカード１０の認証処理が行われる。ＩＣクレジットカード１０の認証処理が行われる。
【００５４】
尚、かかる認証処理は、ＩＣ端末２０にカード情報記憶部１１から認証処理に必要な情報を読み出して、ＩＣ端末２０の認証処理部２２において行うこととしてもよい。認証処理でエラーとなった場合には、ＩＣクレジットカード１０による決済は受け付けられない。
【００５５】
リスクパラメータ記憶部１２には、一定金額以上の決済にはオンライン承認を必要とすることを定めたフロアリミットやオンライン承認を必要とする頻度などの定量的な基準を定めたり、乱数を発生させてランダムにオンライン承認を行わせたりするなど、オンライン承認を必要とするルールを設定したリスクパラメータが記憶されている。ＩＣ端末２０の決済要求受付部２１で利用金額等が指定された決済要求を受け付けると、これらの情報をＩＣクレジットカード１０の承認処理部１６に引き渡して、ＩＣクレジットカード１０の承認処理部１６では、リスクパラメータ記憶部１２からリスクパラメータを読み出し、決済要求に指定された利用金額等をリスクパラメータに当てはめて、オンライン承認を必要とするルールに該当するかを判定するための演算処理がＩＣ端末２０のＣＰＵにおいて実行される。
【００５６】
ＩＣクレジットカード１０の承認処理部１６における承認結果は、ＩＣ端末２０の承認処理部２３に引き渡される。リスクパラメータには、会員間で共通のパラメータを用いることとしてもよいが、会員毎の取引傾向等を反映したより信頼性の高い判定を行うためには、会員毎に異なるパラメータを設定することが好ましい。
【００５７】
かかる承認処理は、ＩＣ端末２０にリスクパラメータ記憶部１２からリスクパラメータを読み出して、ＩＣ端末２０の承認処理部２３において行うこととしてもよい。また、先に説明した認証処理についてはＩＣ端末２０で行った後に、承認処理をＩＣクレジットカード１０で行うように構成することもできる。
【００５８】
不正判定モデル記憶部１３には、過去に発生した不正利用の傾向（深夜の利用や短時間の連続利用は不正取引の確率が高いｅｔｃ．）や会員毎の正常な取引の傾向などを統計処理によって分析した、クレジットカードの不正利用のパターンをモデル化した不正パラメータの設定された不正判定モデルが記憶されている。ＩＣ端末２０の決済要求受付部２１で受け付けた利用金額等が指定された決済要求に対して、承認処理部２３では、不正判定モデル記憶部１３から不正パラメータが設定された不正判定モデルを読み出し、決済要求に指定された利用金額や決済要求を受け付けた受付日時等のデータを、不正パラメータが設定された不正判定モデルに当てはめて、オンライン承認を必要とするルールに該当するかを判定する。
【００５９】
ここで用いられる不正判定モデルの種類は特に限定されるものではないが、決済要求に指定された利用金額や決済要求を受け付けた受付日時等のデータを、決定木（デシジョンツリー）に当てはめることによって不正の可能性があるかを判定する決定木モデルや、決済要求に指定された利用金額や決済要求を受け付けた受付日時等のデータを所定の算出式に当てはめて、算出したスコアが所定の閾値を超えるか否かによって不正の可能性があるかを判定するスコアリングモデルなどを適用することができる。
【００６０】
図１５は、決定木を用いた不正判定モデルの例を示したものであるが、顧客の年齢、購入する商品、利用金額などが決定木の節点となり、その節点における分岐の基準となる値（図１５の例であれば「３０」、「５０」、「１万」等）として設定されるのが不正パラメータとなる。
【００６１】
スコアリングモデルを採用する場合には、スコアを算出する所定の演算式において、決済要求に指定された利用金額、決済要求を受け付けた受付日時等が変数となるのに対し、係数として設定される数値が不正パラメータとなる。
【００６２】
スコアリングモデル形式の一形態としては、図１６、図１７に示したようなニューラルネットワークを用いたモデルを採用することもできる。この例では、顧客の年齢、利用金額が入力ノードとなり、中間ノードでは変数とする所定の演算式の変数部分に入力ノードの値を代入してスコアを算出し、そのスコアが所定の閾値を超えるか否かから次の中間ノードにおいて変数部分に代入する値を導いて、最終的には所定の閾値を超えるか否かから判定を行って出力ノードに出力する。
【００６３】
例えば、図１７のように、年齢「３４」、金額「３０００」の入力を受け付けると、最初の中間ノードでは、これらにそれぞれ「０．００４」「０．０００１２」という係数を乗じた値を合計して、「０．４９６」というスコアを算出する。このスコアは「０．５」という閾値を超えないため、次の中間ノードの変数には、閾値を超えない場合の「０」という数値が引き渡される。
【００６４】
このように、ニューラルネットワークを用いたモデルにおいては、ニューラルネットワークの中間ノードにおけるスコアリングにおける係数（図１７の例であれば「０．００４」、「０．０００１２」等）として設定されるのが不正パラメータとなる。
【００６５】
尚、図３の承認処理部２３で行われる上記のような不正パラメータを用いた承認のための演算処理についても、図４に示したＩＣ端末２０の承認処理部２３において行われるものであってもよい。この場合、ＩＣクレジットカード１０の不正判定モデル記憶部１３から読み出した不正パラメータが設定された不正判定モデルがＩＣ端末２０に引き渡され、ＩＣ端末２０に備えられたＣＰＵによって演算処理が行われる。
【００６６】
ここで不正判定モデルに設定される不正パラメータには、会員間で共通のパラメータを用いることとしてもよいが、会員毎の取引傾向等を反映したより信頼性の高い判定を行うためには、会員毎に異なるパラメータを設定することが好ましい。
【００６７】
履歴情報記憶部１４には、ＩＣクレジットカード１０の会員の最近のクレジットカードの利用履歴に関する履歴情報が記憶されている。不正判定モデルによる判定において、会員毎の正常な取引傾向から不正取引の可能性を判断するためには、直近の利用履歴を用いることが好ましい。例えば、通常は月に数回しかクレジットカードを利用しない会員が短時間に何度もカードの利用を繰り返す場合や、通常は数万円程度の決済しか行わない会員が１０万円以上の高額決済を繰り返す場合などを不正取引の可能性が高いと判断するためには、直近の履歴情報が必要になる。
【００６８】
そのため、不正判定モデル記憶部１３から不正パラメータが設定された不正判定モデルを読み出してオンライン承認を必要とするルールに該当するかを判定する際には、決済要求に指定された利用金額や決済要求を受け付けた受付日時等みでなく、履歴情報記憶部１４から履歴情報を読み出し、これらの数値を不正パラメータと対比したり、これらの数値に対して不正パラメータを乗じたりするなど、不正判定モデルに当てはめてるよう構成することが好ましい。この場合、不正パラメータ記憶部１３に記憶される不正パラメータには、履歴情報を用いたモデルが含まれることとなる。
【００６９】
尚、ここで用いられる履歴情報の形式は特に限定されるものではなく、図５の例に示したように、直近何回分かの利用時のオーソリデータの一部を１レコード毎に記憶することとしてもよいし、図６の例に示したように、前回の利用情報や前何回分かの平均値等を記憶することとしてもよい。
【００７０】
ところで、クレジットカードの不正利用のパターンをモデル化した不正判定モデルは、オンラインでの承認処理にも用いられるものである。本発明においては、かかる不正パラメータを承認処理部１６（図３の場合）又は承認処理部２３（図４の場合）のオフラインでの承認処理にも用いることとしているが、ＩＣクレジットカード１０に搭載されるＩＣチップの記憶容量、ＩＣチップやＩＣ端末２０の演算処理能力を考慮すると、ホスト側と同じ不正判定モデルや履歴情報をそのまま用いることは困難である。そこで、本発明においては、ホスト側で用いる不正判定モデルや履歴情報を簡素化した比較的シンプルなモデルを、オフライン処理用に採用することとして、オフライン処理で不正利用の可能性があると判断された場合には、ホストコンピュータ３０にオーソリデータを送信してオンライン承認を行うこととしている。
【００７１】
承認処理部１６（図３の場合）又は承認処理部２３（図４の場合）における不正パラメータの設定された不正判定モデルを用いた判定で、オンライン承認を必要とするルールに該当するかを判断する方法は特に限定されるものではなく、例えば、先に説明したような決定木モデルやスコアリングモデルなどが用いられる。
【００７２】
履歴情報記憶部１４に記憶された履歴情報については、ＩＣクレジットカード１０を用いて新たな取引が行われた後には、該取引を反映して履歴情報を更新することが必要になる。そこで、承認処理部１６（図３の場合）又は承認処理部２３（図４の場合）でオフライン承認が行われた場合、又はホストコンピュータ３０の承認処理部３１からオンライン承認が行われた通知を受け付けた場合には、ＩＣ端末２０の更新処理部２４から更新に必要なオーソリデータ等がＩＣクレジットカード１０の更新処理部１７に引渡され、更新処理部１７が起動されて、ＩＣクレジットカード１０の履歴情報記憶部１４に記憶された履歴情報が承認した取引の受付時間、利用金額等を反映して更新される。
【００７３】
尚、図３の更新処理部２４で行われる上記のような履歴情報を更新するための演算処理についても、図４に示したＩＣ端末２０の更新処理部２４において行われてもよい。この場合、ＩＣ端末２０の更新処理部２４の処理によって、ＩＣクレジットカード１０の履歴情報記憶部１４に記憶された履歴情報が更新される。
【００７４】
承認処理部１６（図３の場合）又は承認処理部２３（図４の場合）において、リスクパラメータや、不正パラメータが設定された不正判定モデルに当てはめた結果として、オンライン承認を必要とするルールに該当すると判定されると、決済要求受付部２１で受け付けた利用金額等を含むオーソリデータ等の決済要求が、ＩＣ端末２０からホストコンピュータ３０に送信される。図７は、送信されるオーソリデータの一例を示したものであるが、ＩＣクレジットカード１０の利用者を識別できる会員番号（カード番号）、受付時間、加盟店コード、利用金額等の情報が含まれている。
【００７５】
ここでオーソリデータを送信する際には、オフラインでの承認処理に用いるために読み出された不正判定モデルに設定された不正パラメータやリスクパラメータの更新時を特定する更新情報を、あわせて送信するよう構成することが好ましい。更新情報の形式は特に限定されるものではないが、例えば、前回更新日時、ファイルのバージョンを示す符号等を用いることとすればよい。
【００７６】
ホストコンピュータ３０には、承認処理部３１、オーソリデータ記憶部３２、不正判定モデル記憶部３３、リスクパラメータ記憶部３４が備えられている。承認処理部３１は機能的に特定されるものであって、ホストコンピュータ３０に備えられたメモリ領域に承認処理のためのアプリケーションプログラムが読み出され、ＣＰＵによって演算処理が実行されることによって承認処理が行われる。会員毎の過去の取引にかかるオーソリデータが記憶されたオーソリデータ記憶部３２、クレジットカードの不正利用のパターンをモデル化した不正パラメータが設定された不正判定モデルを記憶する不正判定モデル記憶部３３には、ホストコンピュータ３０のＨＤＤの所定の記憶領域が割り当てられるか、或いは、ホストコンピュータ３０に接続されたデータベースサーバ等に設けられるものであってもよい。
【００７７】
オーソリデータを受信したホストコンピュータ３０では、承認処理部３１を起動して、受信したオーソリデータを不正判定モデル記憶部３３に記憶された不正パラメータが設定された不正判定モデルに当てはめて、不正利用の可能性が決済を承認する基準に該当するかを判定する。
【００７８】
ここで不正判定モデルにおいて用いられる不正パラメータには、会員間で共通のパラメータを用いることとしてもよいが、会員毎の取引傾向等を反映したより信頼性の高い判定を行うためには、会員毎に異なるパラメータを設定することが好ましい。この場合は、不正判定モデル記憶部３３には、会員を識別する会員番号等が付された不正パラメータが会員毎に記憶されるので、オーソリデータに含まれる会員番号をキーに判定に用いる不正パラメータを特定することとすればよい。
【００７９】
また、オフライン承認で用いられるＩＣクレジットカード１０の不正判定モデル記憶部１３に記憶される不正判定モデルと比較すると、不正判定モデル記憶部３３に記憶される不正判定モデルには、コンピュータの記憶容量や処理能力の相違を考慮して、より詳細なモデルを用いることができることは先に説明したとおりである。
【００８０】
さらに、不正パラメータを用いて不正利用の可能性をスコアリングする際には、オフライン承認の場合と同様に、オーソリデータ記憶部３２に記憶された会員の過去の取引履歴等の履歴情報を用いることとしてもよい。オフライン承認で用いられるＩＣクレジットカード１０の履歴情報記憶部１４に記憶される履歴情報と比較すると、オーソリデータ記憶部３２にはより多くの情報が記憶されているため、より詳細な分析が可能になることは先に説明したとおりである。
【００８１】
承認処理部３１において判定されたＩＣクレジットカード１０による決済の承認の可否は、ＩＣ端末２０に送信される。尚、ホストコンピュータ３０における承認処理では、会員毎に設定された利用限度額等を参照して、オーソリデータに指定された利用金額が利用限度額を超過する場合にも、決済が不承認とされるのが通常である。ＩＣ端末２０では、ＩＣクレジットカード１０による決済の受付の可否が示されるとともに、更新処理部１７（図３の場合）又は更新処理部２４（図４の場合）が起動され、承認された取引を反映して、ＩＣクレジットカード１０の履歴情報記憶部１４に記憶された履歴情報が更新される。
【００８２】
上記の承認処理とあわせて、承認処理部３１は、ＩＣ端末２０から送信された不正パラメータやリスクパラメータの更新情報を、不正判定モデル記憶部３３に記憶された不正判定モデルに設定された不正パラメータや、リスクパラメータ記憶部３４に記憶されたリスクパラメータについて、それぞれの最新の情報が更新された更新時を特定する更新情報と対比する。尚、不正判定モデル記憶部３３とリスクパラメータ記憶部３４のそれぞれに記憶されるパラメータは、不正利用を含めた取引情報が蓄積されていくのにあわせて、新たな傾向を反映したモデルが作成され、新たなパラメータに更新されている。
【００８３】
いずれかの更新情報が一致しない場合には、ＩＣクレジットカード１０に記憶された不正パラメータ又はリスクパラメータを更新させるため、不正判定モデル記憶部３３又はリスクパラメータ記憶部３４から最新の不正パラメータ又はリスクパラメータを読み出して、ホストコンピュータ３０からＩＣ端末２０に、ＩＣクレジットカード１０による決済の承認の可否とあわせて送信される。ＩＣ端末２０では、更新処理部（図３の場合）１７又は更新処理部２４（図４の場合）が起動されて、ＩＣクレジットカード１０のリスクパラメータ記憶部１２又は不正判定モデル記憶部１３に、ホストコンピュータ３０から受信した最新の不正パラメータ又はリスクパラメータが記憶され、不正パラメータ又はリスクパラメータが更新される。
【００８４】
尚、先に説明したとおり、ホストコンピュータ３０の不正判定モデル記憶部３３には、ＩＣクレジットカード１０の不正判定モデル記憶部１３に記憶される不正判定モデルに比べて、より詳細な不正判定モデルが記憶されているため、更新情報を対比する際には、ホストコンピュータ３０の不正判定モデル記憶部３３に記憶された不正判定モデルの全ての不正パラメータではなく、ＩＣクレジットカード１０の不正判定モデル記憶部１３に記憶される不正判定モデルにも設定されている一部の不正パラメータが対象となる。又は、ＩＣクレジットカード１０の不正判定モデル記憶部１３に記憶される不正判定モデルのみに用いられる不正パラメータがある場合には、ホストコンピュータ３０の不正判定モデル記憶部３３に記憶される不正判定モデルでは用いない不正パラメータであっても、不正判定モデル記憶部３３に最新情報を記憶しておくように構成される。
【００８５】
尚、ホストコンピュータ３０では、不正判定モデル記憶部３３とリスクパラメータ記憶部３４のそれぞれに記憶されるパラメータが適宜更新されているため、更新情報が一致しない場合とは、通常であればホストコンピュータ３０側の更新情報が新しくなるはずである。上記のように、オンラインでの承認処理時に最新のパラメータへの更新処理をあわせて行うよう構成することによって、パラメータ更新のために固有の操作を行わなくても、ＩＣクレジットカード１０にも最新のパラメータが反映されやすくなり、オフライン承認の信頼性を高めることが可能になる。
【００８６】
図８〜図１１のフローチャートを用いて、本発明にかかるクレジットカードの決済承認方法の第１の実施形態における処理フローについて説明する。図８はＩＣ端末経由で決済要求を受け付けたＩＣカード内の承認処理のフローを、図９はＩＣ端末における送信処理のフロー、図１０は決済承認を行うホスト側のコンピュータシステムの処理フローを、図１１は承認結果を受け付けたＩＣ端末の処理フローをそれぞれ示している。
【００８７】
クレジットカードの加盟店等においてＩＣクレジットカードで決済を行おうとする場合、ＩＣクレジットカードをＩＣ端末に読み取らせるとともに、購入する商品等の代金である利用金額がＩＣ端末に入力され、ＩＣクレジットカードによる決済要求が行われる。ＩＣ端末では、入力を受け付けた利用金額等の情報を、ＩＣクレジットカードに搭載されたＩＣチップに引き渡し、ＩＣチップでこれらの情報を受け付ける（Ｓ０１）。
【００８８】
ＩＣクレジットカードに搭載されたＩＣチップでは、ＩＣチップに記憶されたカード情報を読み出して、読み出した情報の中から、例えば、偽造カードを識別するためのキーや本人認証のための暗証番号等を用いて、カード情報の認証処理がＩＣチップの演算回路で実行される（Ｓ０２）。これらの認証に用いられる情報は、ＩＣ端末から受け付けるものであってもよい。利用されたカードが正規のカードでない、又はカードの所持者による利用でないと判断されると（Ｓ０３）、エラー処理が行われてＩＣクレジットカードによる決済は中止される。カード情報に１回あたりの利用限度額を記憶させておき、決済要求の利用金額が利用限度額を超える場合にもエラー処理を行うこととしてもよい。
【００８９】
カードの所持者による正規の利用と判断された場合は（Ｓ０３）、オンライン承認を必要とするルールを設定したリスクパラメータを読み出して（Ｓ０４）、受け付けた決済要求がリスクパラメータにオンライン承認が必要と設定された閾値を超えるものでないか（Ｓ０５）、例えば、利用金額がオンライン承認を必要とする金額として設定された金額を超えるものでないか、前回までのオフライン承認による利用回数が所定の回数を超えるものでないか、といった確認が行われる。このような閾値を超えている場合には、不正判定モデルに当てはめるまでもなく、オンライン承認が必要と判断される。
【００９０】
閾値を超えない場合には（Ｓ０５）、クレジットカードの不正利用のパターンをモデル化した不正パラメータの設定された不正判定モデル（１）（ホスト側のコンピュータシステムで用いられる不正判定モデル（２）を簡素化したもの）と、クレジットカードの直近の取引履歴である履歴情報を読み出して（Ｓ０６）、不正判定モデル（１）への当てはめを行い（Ｓ０７）、決済要求に含まれる値を変数として不正判定モデル（１）に当てはめた場合に不正利用のパターンに対応するものでないか（Ｓ０８）、例えば、利用時間、利用金額、加盟店コードから特定される利用場所等を変数（性別などの属性や対象商品などを対象にする場合についても、コードとして特定されることによって変数として把握される）とするスコアリングモデルに当てはめて、不正利用である可能性のスコアリングが行われる。算出されたスコアが所定の閾値を超え、不正利用の可能性があると判断された場合には、オンライン承認が必要と判断される。
【００９１】
尚、上記のＳ０４〜Ｓ０５で説明したリスクパラメータを適用する処理と、Ｓ０６〜Ｓ０８で説明した不正判定モデル（１）を適用する処理の順序については特に限定されるものではなく、順序が逆となるものであってもよい。
【００９２】
算出されたスコアが所定の閾値を超えないなど、不正の可能性が低いと判断された場合には、オフラインによる承認を行ってよいことをＩＣ端末に指示し（Ｓ０９）、ＩＣ端末では決済の承認の表示等が行われる。さらに、承認された取引を反映してＩＣクレジットカードに搭載されたＩＣチップに記憶された履歴情報を更新する（Ｓ１０）。この後に、ＩＣ端末においては、ホスト側のコンピュータシステムで保存するための承認したオーソリデータの送信処理等が行われる。
【００９３】
Ｓ０５又はＳ０８においてオンライン承認が必要と判断された場合については、承認処理に用いられたリスクパラメータ又は不正判定モデル（１）に設定された不正パラメータの更新時に関する更新情報をＩＣ端末に引渡すとともに、ＩＣ端末に対してオンラインの承認処理を要求する（Ｓ１１）。
【００９４】
これらの情報を受け付けたＩＣ端末の処理は、図９のフローチャートに示したとおりである。リスクパラメータ又は不正パラメータの更新情報とオンラインの承認処理の要求を受け付けると（Ｓ１２）、受け付けた決済要求をオーソリデータ等の形式で、ＩＣチップから引渡されたリスクパラメータ又は不正パラメータの更新情報とともに、ホストコンピュータに送信する（Ｓ１３）。
【００９５】
これらの情報を受け付けたホストコンピュータの処理は、図１０のフローチャートに示したとおりである。ホストコンピュータでは、ＩＣ端末から送信されたオーソリデータとリスクパラメータ又は不正パラメータの更新情報を受信する（Ｓ１４）。ホスト側のコンピュータシステムで記憶している最新のリスクパラメータ又は不正パラメータの更新時に関する更新情報を参照し（Ｓ１５）、これを受信したリスクパラメータ又は不正パラメータの更新時に関する更新情報と対比して（Ｓ１６）、ホスト側のコンピュータシステムの更新時が更新されてＩＣチップ側の更新時より新しくなっている場合には、最新のリスクパラメータ又は不正パラメータを読み出して（Ｓ１７）、一時記憶しておく。
【００９６】
続いて、オフラインより詳細な分析処理を行うために、クレジットカードの不正利用のパターンをモデル化した不正パラメータが設定された不正判定モデル（２）（ＩＣクレジットカードに記憶されている不正判定モデル（１）より詳細なもの）を読み出して（Ｓ１８）、不正判定モデル（２）への当てはめを行って、受信したオーソリデータが不正判定モデル（２）における不正利用のパターンに対応するものでないか（Ｓ１９）、オーソリデータに含まれる値を変数として不正判定モデル（２）に当てはめて、不正利用である可能性を判定する。ここで、オーソリデータを保存するデータベース等から過去の取引履歴に関する情報を読み出してスコアリングに用いてもよいことは、オフラインで履歴情報を用いてもよいことと同様である。
【００９７】
算出されたスコアが所定の閾値を超えないなど、不正の可能性が低いと判断された場合には、決済の承認が行われて、承認結果と一時記憶されている最新のリスクパラメータ又は不正パラメータが、ＩＣ端末に送信される（Ｓ２０）。尚、ホスト側のコンピュータシステムにおける承認処理では、あわせて会員毎に設定された利用限度額等を参照し、オーソリデータに指定された利用金額が利用限度額を超過する場合にも、決済が不承認とされることが通常である。尚、パラメータが更新されていない場合には、承認結果のみが送信される。
【００９８】
算出されたスコアが所定の閾値を超えるなど、不正利用に該当すると判断された場合には、ＩＣクレジットカードによる決済は不承認とされ、承認結果と一時記憶されている最新のリスクパラメータ又は不正パラメータが、ＩＣ端末に送信される（Ｓ２１）。パラメータが更新されていない場合には、承認結果のみが送信されることは承認の場合と同様である。判定の対象となったオーソリデータは、承認、不承認いずれの場合についても、承認結果とあわせてオーソリデータを保存するデータベースに格納される（Ｓ２２）。
【００９９】
承認結果を受け付けたＩＣ端末の処理は、図１１のフローチャートに示したとおりである。決済の承認結果と、最新のリスクパラメータ又は不正パラメータを受信したＩＣ端末では（Ｓ２３）、決済の承認結果をＩＣ端末に表示するとともに（Ｓ２４）、受信した最新のリスクパラメータ又は不正パラメータをＩＣクレジットカードに搭載されたＩＣチップに書き込んで、これらの情報を更新する（Ｓ２５）
【０１００】
図１２のフローチャートを用いて、本発明にかかるクレジットカードの決済承認方法の第２の実施形態における処理フローについて説明する。図１２のフローチャートは、決済要求を受け付けたＩＣ端末における処理フローを示している。
【０１０１】
クレジットカードの加盟店等においてＩＣクレジットカードで決済を行おうとする場合、ＩＣクレジットカードをＩＣ端末に読み取らせるとともに、購入する商品等の代金である利用金額がＩＣ端末に入力され、ＩＣクレジットカードによる決済要求が行われる。ＩＣ端末では、ＩＣクレジットカードに搭載されたＩＣチップから会員番号等のカード情報を読み取るとともに、利用金額等の入力を受け付ける（Ｓ３１）。
【０１０２】
ＩＣ端末では、ＩＣチップから読み取ったカード情報の中から、例えば、偽造カードを識別するためのキーや本人認証のための暗証番号等を用いて、カード情報の認証処理を行う（Ｓ３２）。利用されたカードが正規のカードでない、又はカードの所持者による利用でないと判断されると（Ｓ３３）、エラー処理が行われてＩＣクレジットカードによる決済は中止される。カード情報に１回あたりの利用限度額を記憶させておき、決済要求の利用金額が利用限度額を超える場合にもエラー処理を行うこととしてもよい。
【０１０３】
カードの所持者による正規の利用と判断された場合は（Ｓ３３）、ＩＣクレジットカードに搭載されたＩＣチップから、オンライン承認を必要とするルールを設定したリスクパラメータを読み出して（Ｓ３４）、決済要求がリスクパラメータにオンライン承認が必要と設定された閾値を超えるものでないか（Ｓ３５）、例えば、利用金額がオンライン承認を必要とする金額として設定された金額を超えるものでないか、前回までのオフライン承認による利用回数が所定の回数を超えるものでないか、といった確認が行われる。このような閾値を超えている場合には、不正パラメータに当てはめるまでもなく、オンライン承認が必要と判断される。
【０１０４】
閾値を超えない場合には（Ｓ３５）、ＩＣクレジットカードに搭載されたＩＣチップから、クレジットカードの不正利用のパターンをモデル化した不正パラメータの設定された不正判定モデル（１）（ホスト側のコンピュータシステムで用いられる不正判定モデル（２）を簡素化したもの）と、クレジットカードの直近の取引履歴である履歴情報を読み出して（Ｓ３６）、不正判定モデル（１）への当てはめを行い（Ｓ３７）、決済要求に含まれる値を変数として不正判定モデル（１）に当てはめた場合に不正利用のパターンに対応するものでないか（Ｓ３８）、例えば、利用時間、利用金額、加盟店コードから特定される利用場所等を変数（性別などの属性や対象商品などを対象にする場合についても、コードとして特定されることによって変数として把握されることは第１の実施形態に同じ）とするスコアリングモデルに当てはめて、不正利用である可能性のスコアリングが行われる。算出されたスコアが所定の閾値を超え、不正利用の可能性があると判断された場合には、オンライン承認が必要と判断される。
【０１０５】
尚、上記のＳ３４〜Ｓ３５で説明したリスクパラメータを適用する処理と、Ｓ３６〜Ｓ３８で説明した不正判定モデル（１）を適用する処理の順序については特に限定されるものではなく、順序が逆となるものであってもよい。
【０１０６】
算出されたスコアが所定の閾値を超えないなど、不正の可能性が低いと判断された場合には、オフラインによる承認が行われてＩＣ端末に決済の承認の表示等が行われる（Ｓ３９）。さらに、承認された取引を反映してＩＣクレジットカードに搭載されたＩＣチップに記憶された履歴情報を更新するとともに（Ｓ４０）、ホスト側のコンピュータシステムで保存するために、承認したオーソリデータをホストコンピュータに送信する（Ｓ４１）。
【０１０７】
Ｓ０５又はＳ０８においてオンライン承認が必要と判断された場合については、ＩＣ端末が受け付けた決済要求をオーソリデータ等の形式で、承認処理に用いられたリスクパラメータ又は不正判定モデル（１）に設定された不正パラメータの更新時に関する更新情報とともに、ホストコンピュータに送信する（Ｓ１２）。
【０１０８】
尚、ホストコンピュータでこれらの情報を受け付けた後の処理とその後のＩＣ端末での処理については、図１０及び図１１のフローチャートに示した第１の実施形態と同様である。
【図面の簡単な説明】
【０１０９】
【図１】従来のクレジットカードの決済承認システムの構成を示す第１のブロック図である。
【図２】従来のクレジットカードの決済承認システムの構成を示す第２のブロック図である。
【図３】本発明にかかるクレジットカードの決済承認システムの第１の実施形態における構成を示すブロック図である。
【図４】本発明にかかるクレジットカードの決済承認システムの第２の実施形態における構成を示すブロック図である。
【図５】本発明にかかるクレジットカードの決済承認システムで用いられる履歴情報の第１の例を示す図である。
【図６】本発明にかかるクレジットカードの決済承認システムで用いられる履歴情報の第２の例を示す図である。
【図７】本発明にかかるクレジットカードの決済承認システムで用いられるオーソリデータの一例を示す図である。
【図８】本発明にかかるクレジットカードの決済承認方法の第１の実施形態におけるＩＣカード内の承認処理のフローを示すフローチャートである。
【図９】本発明にかかるクレジットカードの決済承認方法の第１の実施形態における端末側の送信処理のフローを示すフローチャートである。
【図１０】本発明にかかるクレジットカードの決済承認方法のホスト側のコンピュータシステムの処理フローを示すフローチャートである。
【図１１】本発明にかかるクレジットカードの決済承認方法の端末側のパラメータ等更新処理のフローを示すフローチャートである。
【図１２】本発明にかかるクレジットカードの決済承認方法の第２の実施形態における端末側の承認処理のフローを示すフローチャートである。
【図１３】本発明にかかるクレジットカードの決済承認システムによって、信頼性を維持しながら承認処理を効率化できることを示す第１の図である。
【図１４】本発明にかかるクレジットカードの決済承認システムによって、信頼性を維持しながら承認処理を効率化できることを示す第２の図である。
【図１５】本発明にかかるクレジットカードの決済承認システムで用いられる決定木による不正判定モデルの一例を示す図である。
【図１６】本発明にかかるクレジットカードの決済承認システムで用いられるニューラルネットワークによる不正判定モデルの一例を示す第１の図である。
【図１７】本発明にかかるクレジットカードの決済承認システムで用いられるニューラルネットワークによる不正判定モデルの一例を示す第２の図である。
【符号の説明】
【０１１０】
１０  ＩＣクレジットカード
１１  カード情報記憶部
１２  リスクパラメータ記憶部
１３  不正判定モデル記憶部
１４  履歴情報記憶部
１５  認証処理部
１６  承認処理部
１７  更新処理部
２０  ＩＣ端末
２１  決済要求受付部
２２  認証処理部
２３  承認処理部
２４  更新処理部
３０  ホストコンピュータ
３１  承認処理部
３２  オーソリデータ記憶部
３３  不正判定モデル記憶部
３４  リスクパラメータ記憶部
【図１】
2010097450.tif 000003
【図２】
2010097450.tif 000004
【図３】
2010097450.tif 000005
【図４】
2010097450.tif 000006
【図５】
2010097450.tif 000007
【図６】
2010097450.tif 000008
【図７】
2010097450.tif 000009
【図８】
2010097450.tif 000010
【図９】
2010097450.tif 000011
【図１０】
2010097450.tif 000012
【図１１】
2010097450.tif 000013
【図１２】
2010097450.tif 000014
【図１３】
2010097450.tif 000015
【図１４】
2010097450.tif 000016
【図１５】
2010097450.tif 000017
【図１６】
2010097450.tif 000018
【図１７】
2010097450.tif 000019
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムであって、
前記クレジットカードは、
前記クレジットカードの不正利用のパターンをモデル化した第１の不正パラメータが設定された第１の不正判定モデルを記憶する不正判定モデル記憶手段と、
前記端末装置から前記クレジットカードによる決済要求を受け付ける決済要求受付手段と、
前記不正判定モデル記憶手段から第１の不正パラメータが設定された第１の不正判定モデル読み出す不正判定モデル読出手段と、
前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、
前記不正判定モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、
前記不正判定モデル記憶手段に記憶された第１の不正判定モデルに設定された第１の不正パラメータを新たな不正パラメータに更新する不正パラメータ更新手段と、
を備えていて、
前記ホストコンピュータシステムは、
前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性がオンライン承認を必要とする基準に該当すると判定する決済承認判定手段と、
前記決済承認判定手段の判定した承認又は不承認の判定結果を前記端末装置に送信する判定結果送信手段と、
前記第１の不正判定モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記クレジットカードの不正パラメータ更新手段は、前記不正判定モデル記憶手段に記憶された第１の不正判定モデルに設定された第１の不正パラメータを、前記ホストコンピュータシステムから前記端末装置が受信した第３の不正パラメータに更新すること
を特徴とする決済承認システム。
【請求項２】
前記不正判定モデル適用手段において用いられる第１の不正判定モデルは、決定木によりオンライン承認の要否を判定するモデルであって、前記第１の不正パラメータは、決定木の節点における分岐の基準となる値として設定されていること
を特徴とする請求項１記載の決済承認システム。
【請求項３】
前記不正判定モデル適用手段において用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていること
を特徴とする請求項１記載の決済承認システム。
【請求項４】
前記クレジットカードは、
前記クレジットカードについてオンライン承認を必要とする定量的な閾値として設定されたリスクパラメータを記憶するリスクパラメータ記憶手段と、
前記リスクパラメータ記憶手段に記憶されたリスクパラメータを読み出すリスクパラメータ読出手段と、
前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、
前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、
前記リスクパラメータ記憶手段に記憶されたリスクパラメータを新たなリスクパラメータに更新するリスクパラメータ更新手段と、
を備えていて、
前記ホストコンピュータシステムは、
クレジットカードについてオンライン承認を必要とする定量的な閾値として設定されたリスクパラメータを記憶するリスクパラメータ記憶手段と、
前記端末装置から受信した更新情報が前記リスクパラメータ記憶手段に記憶された最新のリスクパラメータの更新時を特定する更新情報と一致するかを判定する更新情報判定手段と、
前記更新情報判定手段が更新情報が一致しないと判定すると、前記最新のリスクパラメータを前記リスクパラメータ記憶手段から読み出して、前記端末装置に送信するリスクパラメータ送信手段と、
を備えていて、
前記クレジットカードのリスクパラメータ更新手段は、前記リスクパラメータ記憶手段に記憶されたリスクパラメータを、前記ホストコンピュータシステムから前記端末装置が受信した最新のリスクパラメータに更新すること
を特徴とする請求項１乃至３いずれかに記載の決済承認システム。
【請求項５】
クレジットカードに搭載されたＩＣチップの読出及び書込機能を備えた端末装置と、前記端末とネットワークを介して接続されたホストコンピュータシステムからなるクレジットカードの決済承認システムであって、
前記端末装置は、
クレジットカードによる決済要求を受け付ける決済要求受付手段と、
前記ＩＣチップに記憶されたクレジットカードの不正利用のパターンをモデル化した第１の不正パラメータが設定された第１の不正判定モデルを読み出す不正判定モデル読出手段と、
前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、
前記不正判定モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、
前記ＩＣチップに記憶された第１の不正判定モデルに設定された第１の不正パラメータを新たな不正パラメータに更新する不正パラメータ更新手段と、
を備えていて、
前記ホストコンピュータシステムは、
前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定手段と、
前記決済承認判定手段の判定した承認又は不承認の判定結果を前記端末装置に送信する判定結果送信手段と、
前記第１の不正判定モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記端末装置の不正パラメータ更新手段は、前記ＩＣチップに記憶された第１の不正判定モデルに設定された第１の不正パラメータを、前記ホストコンピュータシステムから送信された第３の不正パラメータに更新すること
を特徴とする決済承認システム。
【請求項６】
前記不正判定モデル適用手段において用いられる第１の不正判定モデルは、決定木によりオンライン承認の要否を判定するモデルであって、前記第１の不正パラメータは、決定木の節点における分岐の基準となる値として設定されていること
を特徴とする請求項５記載の決済承認システム。
【請求項７】
前記不正判定モデル適用手段において用いられる第１の不正判定モデルは、ニューラルネットワークによりオンライン承認の要否を判定するモデルであって、前記第１の不正パラメータは、ニューラルネットワークの中間ノードにおけるスコアリングにおける係数として設定されていること
を特徴とする請求項５記載の決済承認システム。
【請求項８】
前記端末装置は、
前記ＩＣチップに記憶されたクレジットカードについてオンライン承認を必要とする定量的な閾値として設定されたリスクパラメータを読み出すリスクパラメータ読出手段と、
前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、
前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、
前記ＩＣチップに記憶されたリスクパラメータを新たなリスクパラメータに更新するリスクパラメータ更新手段と、
を備えていて、
前記ホストコンピュータシステムは、
クレジットカードについてオンライン承認を必要とする定量的な閾値として設定されたリスクパラメータを記憶するリスクパラメータ記憶手段と、
前記端末装置から受信した更新情報が前記リスクパラメータ記憶手段に記憶された最新のリスクパラメータの更新時を特定する更新情報と一致するかを判定する更新情報判定手段と、
前記更新情報判定手段が更新情報が一致しないと判定すると、前記最新のリスクパラメータを前記リスクパラメータ記憶手段から読み出して、前記端末装置に送信するリスクパラメータ送信手段と、
を備えていて、
前記端末装置のリスクパラメータ更新手段は、前記ＩＣチップに記憶されたリスクパラメータを、前記ホストコンピュータシステムから送信された最新のリスクパラメータに更新すること
を特徴とする請求項５乃至７いずれかに記載の決済承認システム。
【請求項９】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムにおいて用いられるクレジットカードであって、
前記クレジットカードの不正利用のパターンをモデル化した第１の不正パラメータが設定された第１の不正判定モデルを記憶する不正判定モデル記憶手段と、
前記端末装置から前記クレジットカードによる決済要求を受け付ける決済要求受付手段と、
前記不正判定モデル記憶手段から第１の不正パラメータが設定された第１の不正判定モデル読み出す不正判定モデル読出手段と、
前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、
前記不正判定モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、
前記不正判定モデル記憶手段に記憶された第１の不正判定モデルに設定された第１の不正パラメータを新たな不正パラメータに更新する不正パラメータ更新手段と、
を備えていて、
前記不正パラメータ更新手段は、前記不正判定モデル記憶手段に記憶された第１の不正判定モデルに設定された第１の不正パラメータを、
前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性がオンライン承認を必要とする基準に該当すると判定する決済承認判定手段と、前記決済承認判定手段の判定した承認又は不承認の判定結果を前記端末装置に送信する判定結果送信手段と、前記第１の不正判定モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えたホストコンピュータシステムから、前記端末装置が受信した第３の不正パラメータに更新すること
を特徴とするクレジットカード。
【請求項１０】
クレジットカードに搭載されたＩＣチップの読出及び書込機能を備えた端末装置と、前記端末とネットワークを介して接続されたホストコンピュータシステムからなるクレジットカードの決済承認システムにおいて用いられる端末装置であって、
クレジットカードによる決済要求を受け付ける決済要求受付手段と、
前記ＩＣチップに記憶されたクレジットカードの不正利用のパターンをモデル化した第１の不正パラメータが設定された第１の不正判定モデルを読み出す不正判定モデル読出手段と、
前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、
前記不正判定モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、
前記ＩＣチップに記憶された第１の不正判定モデルに設定された第１の不正パラメータを新たな不正パラメータに更新する不正パラメータ更新手段と、
を備えていて、
前記不正パラメータ更新手段は、前記ＩＣチップに記憶された第１の不正判定モデルに設定された第１の不正パラメータを、
前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定手段と、前記決済承認判定手段の判定した承認又は不承認の判定結果を前記端末装置に送信する判定結果送信手段と、前記第１の不正判定モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えたホストコンピュータシステムから送信された第３の不正パラメータに更新すること
を特徴とする端末装置。
【請求項１１】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムにおいて用いられるホストコンピュータシステムであって、
前記クレジットカードの不正利用のパターンをモデル化した第１の不正パラメータが設定された第１の不正判定モデルを記憶する不正判定モデル記憶手段と、前記端末装置から前記クレジットカードによる決済要求を受け付ける決済要求受付手段と、前記不正判定モデル記憶手段から第１の不正パラメータが設定された第１の不正判定モデル読み出す不正判定モデル読出手段と、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、前記不正判定モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、を備えたクレジットカードによって前記決済情報及び前記更新情報を送信した端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性がオンライン承認を必要とする基準に該当すると判定する決済承認判定手段と、
前記決済承認判定手段の判定した承認又は不承認の判定結果を前記端末装置に送信する判定結果送信手段と、
前記第１の不正判定モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記クレジットカードにおいて、前記不正判定モデル記憶手段に記憶された第１の不正判定モデルに設定された第１の不正パラメータは、前記不正パラメータ送信手段から前記端末装置が受信した第３の不正パラメータに更新されること
を特徴とするホストコンピュータシステム。
【請求項１２】
クレジットカードに搭載されたＩＣチップの読出及び書込機能を備えた端末装置と、前記端末とネットワークを介して接続されたホストコンピュータシステムからなるクレジットカードの決済承認システムにおいて用いられるホストコンピュータシステムであって、
クレジットカードによる決済要求を受け付ける決済要求受付手段と、前記ＩＣチップに記憶されたクレジットカードの不正利用のパターンをモデル化した第１の不正パラメータが設定された第１の不正判定モデルを読み出す不正判定モデル読出手段と、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、前記不正判定モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、を備えた端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定手段と、
前記決済承認判定手段の判定した承認又は不承認の判定結果を前記端末装置に送信する判定結果送信手段と、
前記第１の不正判定モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記端末装置において、前記ＩＣチップに記憶された第１の不正判定モデルに設定された第１の不正パラメータは、前記不正パラメータ送信手段から送信された第３の不正パラメータに更新されること
を特徴とするホストコンピュータシステム。
【請求項１３】
ＩＣチップを搭載したクレジットカードと、前記ＩＣチップに記憶された情報の読出及び書込機能を備えた端末装置とネットワークを介して接続されたホストコンピュータシステムによって実行されるクレジットカードの決済承認方法であって、
前記クレジットカードが、前記端末装置から、前記クレジットカードによる決済要求を受け付ける決済要求受付ステップと、
前記クレジットカードが、前記クレジットカードの不正利用のパターンをモデル化した第１の不正パラメータが設定された第１の不正判定モデルを記憶する不正判定モデル記憶手段から第１の不正判定モデルを読み出す不正判定モデル読出ステップと、
前記クレジットカードが、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用ステップと、
前記クレジットカードが、前記不正判定モデル適用ステップでオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信ステップと、
前記ホストコンピュータシステムが、前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定ステップと、
前記ホストコンピュータシステムが、前記決済承認判定ステップで判定した承認又は不承認の判定結果を前記端末装置に送信する判定結果送信ステップと、
前記ホストコンピュータシステムが、前記端末装置から受信した更新情報が、前記第１の不正判定モデルに設定される第３の不正パラメータを記憶する不正パラメータ記憶手段に記憶された第３の不正パラメータの更新時を特定する更新情報と一致するかを判定する更新情報判定ステップと、
前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、
前記クレジッドカードが、前記不正パラメータ記憶手段に記憶された第１の不正判定モデルに設定された第１の不正パラメータを、前記ホストコンピュータシステムから前記端末装置が受信した第３の不正パラメータに更新する不正パラメータ更新ステップと、
を有することを特徴とする決済承認方法。
【請求項１４】
クレジットカードに搭載されたＩＣチップの読出及び書込機能を備えた端末装置と、前記端末とネットワークを介して接続されたホストコンピュータシステムによって実行されるクレジットカードの決済承認方法であって、
前記端末装置が、クレジットカードによる決済要求を受け付ける決済要求受付ステップと、
前記端末装置が、前記ＩＣチップに記憶されたクレジットカードの不正利用のパターンをモデル化した第１の不正パラメータが設定された第１の不正判定モデルを読み出す不正判定モデル読出ステップと、
前記端末装置が、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用ステップと、
前記端末装置が、前記不正判定モデル適用ステップでオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信ステップと、
前記ホストコンピュータシステムが、前記端末装置から受信した決済情報に含まれる値を、クレジットカードの不正利用のパターンをモデル化した第２の不正パラメータが設定された第２の不正判定モデルに当てはめて、前記前記決済情報に含まれる値が所定の条件に合致する場合には、前記決済要求の不正利用の可能性が決済を承認する基準に該当すると判定する決済承認判定ステップと、
前記ホストコンピュータシステムが、前記決済承認判定ステップで判定した承認又は不承認の判定結果を前記端末装置に送信する判定結果送信ステップと、
前記ホストコンピュータシステムが、前記端末装置から受信した更新情報が、前記第１の不正判定モデルに設定される第３の不正パラメータを記憶する不正パラメータ記憶手段に記憶された第３の不正パラメータの更新時を特定する更新情報と一致するかを判定する更新情報判定ステップと、
前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、
前記端末装置が、前記ＩＣチップに記憶された第１の不正判定モデルに設定された第１の不正パラメータを、前記ホストコンピュータシステムから送信された第３の不正パラメータに更新する不正パラメータ更新ステップと、
を有することを特徴とする決済承認方法。
【手続補正３】
【補正対象書類名】明細書
【補正対象項目名】０００１
【補正方法】変更
【補正の内容】
【０００１】
本発明は、ＩＣチップを搭載したクレジットカードの不正利用の検知を効率的に行うためのクレジットカードの決済承認システム、クレジットカードの決済承認システムにおいて用いられるクレジットカード、端末装置及びホストコンピュータシステム、並びにクレジットカードの決済承認方法に関するものである。
【手続補正４】
【補正対象書類名】明細書
【補正対象項目名】０００９
【補正方法】変更
【補正の内容】
【０００９】
本発明は、このような課題に対応するためになされたものであり、ＩＣチップを搭載したクレジットカードの不正利用の検知において、その信頼性を保ちながら効率的な処理を行うことができるクレジットカードの決済承認システム、クレジットカードの決済承認システムにおいて用いられるクレジットカード、端末装置及びホストコンピュータシステム、並びにクレジットカードの決済承認方法を提供すること目的とするものである。
【手続補正５】
【補正対象書類名】明細書
【補正対象項目名】００１０
【補正方法】変更
【補正の内容】
【００１０】
本願にかかる課題を解決する第１の発明は、ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムであって、前記クレジットカードは、前記クレジットカードの不正利用のパターンをモデル化した第１の不正パラメータが設定された第１の不正判定モデルを記憶する不正判定モデル記憶手段と、前記端末装置から前記クレジットカードによる決済要求を受け付ける決済要求受付手段と、前記不正判定モデル記憶手段から第１の不正パラメータが設定された第１の不正判定モデル読み出す不正判定モデル読出手段と、前記決済要求に指定された値を前記第１の不正パラメータが設定された第１の不正判定モデルに当てはめて、前記指定された値が所定の条件に合致する場合には、前記決済要求の不正利用の可能性がオンライン承認を必要とする基準に該当すると判定する不正判定モデル適用手段と、前記不正判定モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、前記不正判定モデル記憶手段に記憶された第１の不正判定モデルに設定された第１の不正パラメータを新たな不正パラメータに更新する不正パラメータ更新手段と、を備えていて、前記ホストコンピュータシステムは、前記端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性がオンライン承認を必要とする基準に該当すると判定する決済承認判定手段と、前記決済承認判定手段の判定した承認又は不承認の判定結果を前記端末装置に送信する判定結果送信手段と、前記第１の不正判定モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えていて、前記クレジットカードの不正パラメータ更新手段は、前記不正判定モデル記憶手段に記憶された第１の不正判定モデルに設定された第１の不正パラメータを、前記ホストコンピュータシステムから前記端末装置が受信した第３の不正パラメータに更新することを特徴とする決済承認システムである。
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムであって、
前記クレジットカードは、
前記クレジットカードのオンライン承認の要否を決定木により判定する決定木モデルにおいて、決定木の接点における分岐の基準となる値として第１の不正パラメータが設定された決定木モデルを記憶する決定木モデル記憶手段と、
前記端末装置から前記クレジットカードによる決済要求を受け付ける決済要求受付手段と、
前決定木モデル記憶手段から第１の不正パラメータが設定された決定木モデル読み出す決定木モデル読出手段と、
前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用手段と、
前記決定木モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、
前記決定木モデル記憶手段に記憶された決定木モデルに設定された第１の不正パラメータを新たな不正パラメータに更新する不正パラメータ更新手段と、
を備えていて、
前記ホストコンピュータシステムは、
前記端末装置から受信した決済情報に含まれる値を、クレジットカードの不正利用のパターンをモデル化した第２の不正パラメータが設定された不正判定モデルに当てはめて、前記決済情報に含まれる値が所定の条件に合致する場合には、前記決済要求の不正利用の可能性がオンライン承認を必要とする基準に該当すると判定する決済承認判定手段と、
前記決済承認判定手段の判定した承認又は不承認の判定結果を前記端末装置に送信する判定結果送信手段と、
前記決定木モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記クレジットカードの不正パラメータ更新手段は、前記決定木モデル記憶手段に記憶された決定木モデルに設定された第１の不正パラメータを、前記ホストコンピュータシステムから前記端末装置が受信した第３の不正パラメータに更新すること
を特徴とする決済承認システム。
【請求項２】
前記クレジットカードは、
前記クレジットカードについてオンライン承認を必要とする定量的な閾値として設定されたリスクパラメータを記憶するリスクパラメータ記憶手段と、
前記リスクパラメータ記憶手段に記憶されたリスクパラメータを読み出すリスクパラメータ読出手段と、
前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、
前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、
前記リスクパラメータ記憶手段に記憶されたリスクパラメータを新たなリスクパラメータに更新するリスクパラメータ更新手段と、
を備えていて、
前記ホストコンピュータシステムは、
クレジットカードについてオンライン承認を必要とする定量的な閾値として設定されたリスクパラメータを記憶するリスクパラメータ記憶手段と、
前記端末装置から受信した更新情報が前記リスクパラメータ記憶手段に記憶された最新のリスクパラメータの更新時を特定する更新情報と一致するかを判定する第２の更新情報判定手段と、
前記第２の更新情報判定手段が更新情報が一致しないと判定すると、前記最新のリスクパラメータを前記リスクパラメータ記憶手段から読み出して、前記端末装置に送信するリスクパラメータ送信手段と、
を備えていて、
前記クレジットカードのリスクパラメータ更新手段は、前記リスクパラメータ記憶手段に記憶されたリスクパラメータを、前記ホストコンピュータシステムから前記端末装置が受信した最新のリスクパラメータに更新すること
を特徴とする請求項１記載の決済承認システム。
【請求項３】
クレジットカードに搭載されたＩＣチップの読出及び書込機能を備えた端末装置と、前記端末とネットワークを介して接続されたホストコンピュータシステムからなるクレジットカードの決済承認システムであって、
前記端末装置は、
クレジットカードによる決済要求を受け付ける決済要求受付手段と、
前記ＩＣチップに記憶されたクレジットカードのオンライン承認の要否を決定木により判定する決定木モデルにおいて、決定木の接点における分岐の基準となる値として第１の不正パラメータが設定された決定木モデルを読み出す決定木モデル読出手段と、
前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用手段と、
前記決定木モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、
前記ＩＣチップに記憶された決定木モデルに設定された第１の不正パラメータを新たな不正パラメータに更新する不正パラメータ更新手段と、
を備えていて、
前記ホストコンピュータシステムは、
前記端末装置から受信した決済情報に含まれる値を、クレジットカードの不正利用のパターンをモデル化した第２の不正パラメータが設定された不正判定モデルに当てはめて、前記決済情報に含まれる値が所定の条件に合致する場合には、前記決済要求の不正利用の可能性が決済を承認する基準に該当すると判定する決済承認判定手段と、
前記決済承認判定手段の判定した承認又は不承認の判定結果を前記端末装置に送信する判定結果送信手段と、
前記決定木モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記端末装置の不正パラメータ更新手段は、前記ＩＣチップに記憶された決定木モデルに設定された第１の不正パラメータを、前記ホストコンピュータシステムから送信された第３の不正パラメータに更新すること
を特徴とする決済承認システム。
【請求項４】
前記端末装置は、
前記ＩＣチップに記憶されたクレジットカードについてオンライン承認を必要とする定量的な閾値として設定されたリスクパラメータを読み出すリスクパラメータ読出手段と、
前記決済要求に指定された値を前記リスクパラメータと対比して、前記値が前記リスクパラメータに設定された閾値を超える場合には、前記決済要求がオンライン承認を必要とする基準に該当すると判定するリスクパラメータ適用手段と、
前記リスクパラメータ適用手段がオンライン承認を必要とする基準に該当すると判定すると、前記決済要求から生成した決済情報と、前記ＩＣチップから読み出した前記リスクパラメータの更新時を特定する更新情報を、前記ホストコンピュータシステムに送信する第２の決済情報送信手段と、
前記ＩＣチップに記憶されたリスクパラメータを新たなリスクパラメータに更新するリスクパラメータ更新手段と、
を備えていて、
前記ホストコンピュータシステムは、
クレジットカードについてオンライン承認を必要とする定量的な閾値として設定されたリスクパラメータを記憶するリスクパラメータ記憶手段と、
前記端末装置から受信した更新情報が前記リスクパラメータ記憶手段に記憶された最新のリスクパラメータの更新時を特定する更新情報と一致するかを判定する第２の更新情報判定手段と、
前記第２の更新情報判定手段が更新情報が一致しないと判定すると、前記最新のリスクパラメータを前記リスクパラメータ記憶手段から読み出して、前記端末装置に送信するリスクパラメータ送信手段と、
を備えていて、
前記端末装置のリスクパラメータ更新手段は、前記ＩＣチップに記憶されたリスクパラメータを、前記ホストコンピュータシステムから送信された最新のリスクパラメータに更新すること
を特徴とする請求項３記載の決済承認システム。
【請求項５】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムにおいて用いられるクレジットカードであって、
前記クレジットカードのオンライン承認の要否を決定木により判定する決定木モデルにおいて、決定木の接点における分岐の基準となる値として第１の不正パラメータが設定された決定木モデルを記憶する決定木モデル記憶手段と、
前記端末装置から前記クレジットカードによる決済要求を受け付ける決済要求受付手段と、
前記決定木モデル記憶手段から第１の不正パラメータが設定された決定木モデル読み出す決定木モデル読出手段と、
前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用手段と、
前記決定木モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、
前記決定木モデル記憶手段に記憶された決定木モデルに設定された第１の不正パラメータを新たな不正パラメータに更新する不正パラメータ更新手段と、
を備えていて、
前記不正パラメータ更新手段は、前記決定木モデル記憶手段に記憶された決定木モデルに設定された第１の不正パラメータを、
前記端末装置から受信した決済情報に含まれる値を、クレジットカードの不正利用のパターンをモデル化した第２の不正パラメータが設定された不正判定モデルに当てはめて、前記決済情報に含まれる値が所定の条件に合致する場合には、前記決済要求の不正利用の可能性がオンライン承認を必要とする基準に該当すると判定する決済承認判定手段と、前記決済承認判定手段の判定した承認又は不承認の判定結果を前記端末装置に送信する判定結果送信手段と、前記決定木モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えたホストコンピュータシステムから、前記端末装置が受信した第３の不正パラメータに更新すること
を特徴とするクレジットカード。
【請求項６】
クレジットカードに搭載されたＩＣチップの読出及び書込機能を備えた端末装置と、前記端末とネットワークを介して接続されたホストコンピュータシステムからなるクレジットカードの決済承認システムにおいて用いられる端末装置であって、
クレジットカードによる決済要求を受け付ける決済要求受付手段と、
前記ＩＣチップに記憶されたクレジットカードのオンライン承認の要否を決定木により判定する決定木モデルにおいて、決定木の接点における分岐の基準となる値として第１の不正パラメータが設定された決定木モデルを読み出す決定木モデル読出手段と、
前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用手段と、
前記決定木モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、
前記ＩＣチップに記憶された決定木モデルに設定された第１の不正パラメータを新たな不正パラメータに更新する不正パラメータ更新手段と、
を備えていて、
前記不正パラメータ更新手段は、前記ＩＣチップに記憶された決定木モデルに設定された第１の不正パラメータを、
前記端末装置から受信した決済情報に含まれる値を、クレジットカードの不正利用のパターンをモデル化した第２の不正パラメータが設定された不正判定モデルに当てはめて、前記決済情報に含まれる値が所定の条件に合致する場合には、前記決済要求の不正利用の可能性が決済を承認する基準に該当すると判定する決済承認判定手段と、前記決済承認判定手段の判定した承認又は不承認の判定結果を前記端末装置に送信する判定結果送信手段と、前記決定木モデルに設定される第３の不正パラメータを記憶する不正パラメータ記憶手段と、前記端末装置から受信した更新情報が前記不正パラメータ記憶手段に記憶された第３の不正パラメータの更新時を特定する更新情報と一致するかを判定する更新情報判定手段と、前記更新情報判定手段が更新情報が一致しないと判定すると、前記第３の不正パラメータを前記不正パラメータ記憶手段から読み出して前記端末装置に送信する不正パラメータ送信手段と、を備えたホストコンピュータシステムから送信された第３の不正パラメータに更新すること
を特徴とする端末装置。
【請求項７】
ＩＣチップを搭載したクレジットカードと、前記ＩＣチップに記憶された情報の読出及び書込機能を備えた端末装置とネットワークを介して接続されたホストコンピュータシステムからなるクレジットカードの決済承認システムにおいて用いられるホストコンピュータシステムであって、
前記クレジットカードのオンライン承認の要否を決定木により判定する決定木モデルにおいて、決定木の接点における分岐の基準となる値として第１の不正パラメータが設定された決定木モデルを記憶する決定木モデル記憶手段と、前記端末装置から前記クレジットカードによる決済要求を受け付ける決済要求受付手段と、前記決定木モデル記憶手段から第１の不正パラメータが設定された決定木モデル読み出す決定木モデル読出手段と、前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用手段と、前記決定木モデル適用手段がオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信手段と、を備えたクレジットカードによって前記決済情報及び前記更新情報を送信した端末装置から受信した決済情報に含まれる値を、クレジットカードの不正利用のパターンをモデル化した第２の不正パラメータが設定された不正判定モデルに当てはめて、前記決済情報に含まれる値が所定の条件に合致する場合には、前記決済要求の不正利用の可能性がオンライン承認を必要とする基準に該当すると判定する決済承認判定手段と、
前記決済承認判定手段の判定した承認又は不承認の判定結果を前記端末装置に送信する判定結果送信手段と、
前記決定木モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記クレジットカードにおいて、前記決定木モデル記憶手段に記憶された決定木モデルに設定された第１の不正パラメータは、前記不正パラメータ送信手段から前記端末装置が受信した第３の不正パラメータに更新されること
を特徴とするホストコンピュータシステム。
【請求項８】
クレジットカードに搭載されたＩＣチップの読出及び書込機能を備えた端末装置と、前記端末とネットワークを介して接続されたホストコンピュータシステムからなるクレジットカードの決済承認システムにおいて用いられるホストコンピュータシステムであって、クレジットカードによる決済要求を受け付ける決済要求受付手段と、前記ＩＣチップに記憶されたクレジットカードのオンライン承認の要否を決定木により判定する決定木モデルにおいて、決定木の接点における分岐の基準となる値として第１の不正パラメータが設定された決定木モデルを読み出す決定木モデル読出手段と、前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用手段と、前記決定木モデル適用手段がオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信手段と、を備えた端末装置から受信した決済情報に含まれる値を、クレジットカードの不正利用のパターンをモデル化した第２の不正パラメータが設定された第２の不正判定モデルに当てはめて、前記決済情報に含まれる値が所定の条件に合致する場合には、前記決済要求の不正利用の可能性が決済を承認する基準に該当すると判定する決済承認判定手段と、
前記決済承認判定手段の判定した承認又は不承認の判定結果を前記端末装置に送信する判定結果送信手段と、
前記決定木モデルに設定される第３の不正パラメータを記憶する不正パラメータ記憶手段と、
前記端末装置から受信した更新情報が前記不正パラメータ記憶手段に記憶された第３の不正パラメータの更新時を特定する更新情報と一致するかを判定する更新情報判定手段と、
前記更新情報判定手段が更新情報が一致しないと判定すると、前記第３の不正パラメータを前記不正パラメータ記憶手段から読み出して前記端末装置に送信する不正パラメータ送信手段と、
を備えていて、
前記端末装置において、前記ＩＣチップに記憶された決定木モデルに設定された第１の不正パラメータは、前記不正パラメータ送信手段から送信された第３の不正パラメータに更新されること
を特徴とするホストコンピュータシステム。
【請求項９】
ＩＣチップを搭載したクレジットカードと、前記ＩＣチップに記憶された情報の読出及び書込機能を備えた端末装置とネットワークを介して接続されたホストコンピュータシステムによって実行されるクレジットカードの決済承認方法であって、
前記クレジットカードが、前記端末装置から、前記クレジットカードによる決済要求を受け付ける決済要求受付ステップと、
前記クレジットカードが、前記クレジットカードのオンライン承認の要否を決定木により判定する決定木モデルにおいて、決定木の接点における分岐の基準となる値として第１の不正パラメータが設定された決定木モデルを記憶する決定木モデル記憶手段から第１の決定木モデルを読み出す決定木モデル読出ステップと、
前記クレジットカードが、前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用ステップと、
前記クレジットカードが、前記決定木モデル適用ステップでオンライン承認を必要とする基準に該当すると判定すると、前記端末装置に、前記決済要求から生成した決済情報と、前記ＩＣチップから読み出した前記第１の不正パラメータの更新時を特定する更新情報を前記ホストコンピュータシステムに送信させる決済情報送信ステップと、
前記ホストコンピュータシステムが、前記端末装置から受信した決済情報に含まれる値を、クレジットカードの不正利用のパターンをモデル化した第２の不正パラメータが設定された不正判定モデルに当てはめて、前記決済情報に含まれる値が所定の条件に合致する場合には、前記決済要求の不正利用の可能性が決済を承認する基準に該当すると判定する決済承認判定ステップと、
前記ホストコンピュータシステムが、前記決済承認判定ステップで判定した承認又は不承認の判定結果を前記端末装置に送信する判定結果送信ステップと、
前記ホストコンピュータシステムが、前記端末装置から受信した更新情報が、前記決定木モデルに設定される第３の不正パラメータを記憶する不正パラメータ記憶手段に記憶された第３の不正パラメータの更新時を特定する更新情報と一致するかを判定する更新情報判定ステップと、
前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、
前記クレジッドカードが、前記決定木モデル記憶手段に記憶された決定木モデルに設定された第１の不正パラメータを、前記ホストコンピュータシステムから前記端末装置が受信した第３の不正パラメータに更新する不正パラメータ更新ステップと、
を有することを特徴とする決済承認方法。
【請求項１０】
クレジットカードに搭載されたＩＣチップの読出及び書込機能を備えた端末装置と、前記端末とネットワークを介して接続されたホストコンピュータシステムによって実行されるクレジットカードの決済承認方法であって、
前記端末装置が、クレジットカードによる決済要求を受け付ける決済要求受付ステップと、
前記端末装置が、前記ＩＣチップに記憶されたクレジットカードのオンライン承認の要否を決定木により判定する決定木モデルにおいて、決定木の接点における分岐の基準となる値として第１の不正パラメータが設定された決定木モデルを読み出す決定木モデル読出ステップと、
前記端末装置が、前記第１の不正パラメータが設定された決定木の接点に、前記決済要求に指定された値を決定木モデルの順に当てはめて、所定の条件に合致する場合には、前記決済要求の不正利用の可能性がオンライン承認を必要とする基準に該当すると判定する決定木モデル適用ステップと、
前記端末装置が、前記決定木モデル適用ステップでオンライン承認を必要とする基準に該当すると判定すると、前記決済要求から生成した決済情報と、前記ＩＣチップから読み出した前記第１の不正パラメータの更新時を特定する更新情報を前記ホストコンピュータシステムに送信する決済情報送信ステップと、
前記ホストコンピュータシステムが、前記端末装置から受信した決済情報に含まれる値を、クレジットカードの不正利用のパターンをモデル化した第２の不正パラメータが設定された不正判定モデルに当てはめて、前記前記決済情報に含まれる値が所定の条件に合致する場合には、前記決済要求の不正利用の可能性が決済を承認する基準に該当すると判定する決済承認判定ステップと、
前記ホストコンピュータシステムが、前記決済承認判定ステップで判定した承認又は不承認の判定結果を前記端末装置に送信する判定結果送信ステップと、
前記ホストコンピュータシステムが、前記端末装置から受信した更新情報が、前記決定木モデルに設定される第３の不正パラメータを記憶する不正パラメータ記憶手段に記憶された第３の不正パラメータの更新時を特定する更新情報と一致するかを判定する更新情報判定ステップと、
前記ホストコンピュータシステムが、前記更新情報判定ステップで更新情報が一致しないと判定すると、前記第３の不正パラメータを前記不正パラメータ記憶手段から読み出して前記端末装置に送信する不正パラメータ送信ステップと、
前記端末装置が、前記ＩＣチップに記憶された決定木モデルに設定された第１の不正パラメータを、前記ホストコンピュータシステムから送信された第３の不正パラメータに更新する不正パラメータ更新ステップと、
を有することを特徴とする決済承認方法。